(57)【特許請求の範囲】
【請求項１】
ワイヤレス・ローカル・エリア・ネットワーク（ＷＬＡＮ）受信チェーンとワイヤレス・ワイド・エリア・ネットワーク（ＷＷＡＮ）受信チェーンとの両方を備えるユーザ機器（ＵＥ）において、ＷＷＡＮによって周期的に送信される関心信号をキャプチャする方法であって、
ＷＷＡＮ測定ギャップに対応する時間期間にわたって前記ＵＥの前記ＷＬＡＮ受信チェーンの少なくとも一部へのアクセスを獲得することと、
前記ＷＷＡＮ受信チェーンを使用して前記ＷＷＡＮによって送信される前記関心信号をキャプチャすることを控えることと、
前記ＷＷＡＮによって送信される前記関心信号をキャプチャすることと、前記キャプチャすることは、前記測定ギャップ中に生じ、前記ＷＬＡＮ受信チェーンを使用して行われる、
前記獲得することおよび前記キャプチャすることを周期的に繰り返すことと、
を備える方法。
【請求項２】
前記繰り返すことの間、キャプチャの周期および前記測定ギャップのうちの１つまたは複数を調節すること、
をさらに備える、請求項１に記載の方法。
【請求項３】
前記ＷＬＡＮ受信チェーンへのアクセスを獲得することが、
仮想ＷＬＡＮフローと少なくとも１つの実際のＷＬＡＮフローとの間のコンテンション処理を可能にするために、前記仮想ＷＬＡＮフローに１つまたは複数のフロー特性を割り当てることと、
前記仮想ＷＬＡＮフローが前記コンテンションに勝つときに前記ＷＬＡＮ受信チェーンにアクセスすることと、
を備える、請求項１に記載の方法。
【請求項４】
前記ＷＬＡＮ受信チェーンへのアクセスを獲得することが、ＷＬＡＮ無線機をパワー・セーブ・モードに設定することを備える、請求項１に記載の方法。
【請求項５】
前記パワー・セーブ・モードは、アンスケジュールド・オートマチック・パワー・セーブ・デリバリ（Ｕ−ＡＰＳＤ）、ワイヤレス・マルチメディア・パワー・セーブ（ＷＭＭ−ＰＳ）、およびセーブマルチポール（ＰＳＭＰ）のうちの１つまたは複数を備える、請求項４に記載の方法。
【請求項６】
前記ＷＬＡＮ受信チェーンへのアクセスを獲得することが、前記ＷＬＡＮ受信チェーンを非稼働中のＷＬＡＮチャネルにチューニングすることを備える、請求項１に記載の方法。
【請求項７】
前記ＷＬＡＮ受信チェーンへのアクセスを獲得することが、前記ＷＬＡＮ受信チェーンに関連付けられたネットワーク・アロケーション・ベクトル（ＮＡＶ）をしきい値またはしきい値よりも上の値に設定することを備える、請求項１に記載の方法。
【請求項８】
前記ＷＷＡＮのバックホールへのアクセスを獲得することと、
前記バックホールを通じて前記関心信号をキャプチャすることと、
をさらに備える、請求項１に記載の方法。
【請求項９】
前記ＷＬＡＮ受信チェーンへのアクセスを獲得することが、前記ＷＬＡＮ受信チェーンがＷＬＡＮ動作を実行することを妨げられる測定モードに入ることを備える、請求項１に記載の方法。
【請求項１０】
ＷＷＡＮ測定ギャップに対応する前記時間期間が、前記ＷＷＡＮによって送信される前記関心信号がシングルキャプチャで前記ＷＬＡＮ受信チェーンによってキャプチャされることを可能にする継続時間を有する、請求項１に記載の方法。
【請求項１１】
ワイヤレス・ワイド・エリア・ネットワーク（ＷＷＡＮ）によって周期的に送信される関心信号をキャプチャするための装置であって、
ワイヤレス・ローカル・エリア・ネットワーク（ＷＬＡＮ）受信チェーンと、
ＷＷＡＮ受信チェーンと、
ＷＷＡＮ測定ギャップに対応する時間期間にわたって前記装置の前記ＷＬＡＮ受信チェーンの少なくとも一部へのアクセスを獲得するための手段と、
前記ＷＷＡＮ受信チェーンを使用して前記ＷＷＡＮによって送信される前記関心信号をキャプチャすることを控え、代わりに前記ＷＷＡＮによって送信される前記関心信号をキャプチャするための手段と、前記キャプチャすることは、前記測定ギャップ中に生じ、前記ＷＬＡＮ受信チェーンを使用して行われる、
前記獲得することおよび前記キャプチャすることを周期的に繰り返すための手段と、 を備える装置。
【請求項１２】
前記繰り返すことの間、キャプチャの周期および前記測定ギャップのうちの１つまたは複数を調節するための手段、
をさらに備える、請求項１１に記載の装置。
【請求項１３】
前記ＷＬＡＮ受信チェーンへのアクセスを獲得するための前記手段が、
仮想ＷＬＡＮフローと少なくとも１つの実際のＷＬＡＮフローとの間のコンテンション処理を可能にするために、前記仮想ＷＬＡＮフローに１つまたは複数のフロー特性を割り当てることと、
前記仮想ＷＬＡＮフローが前記コンテンションに勝つときに前記ＷＬＡＮ受信チェーンにアクセスすることと、
を行うように構成されている、請求項１１に記載の装置。
【請求項１４】
前記ＷＬＡＮ受信チェーンへのアクセスを獲得するための前記手段は、ＷＬＡＮ無線機をパワー・セーブ・モードに設定するように構成されている、請求項１１に記載の装置。
【請求項１５】
前記パワー・セーブ・モードは、アンスケジュールド・オートマチック・パワー・セーブ・デリバリ（Ｕ−ＡＰＳＤ）、ワイヤレス・マルチメディア・パワー・セーブ（ＷＭＭ−ＰＳ）、およびセーブマルチポール（ＰＳＭＰ）のうちの１つまたは複数を備える、請求項１４に記載の装置。
【請求項１６】
前記ＷＬＡＮ受信チェーンへのアクセスを獲得するための前記手段は、前記ＷＬＡＮ受信チェーンを非稼働中のＷＬＡＮチャネルにチューニングするように構成されている、請求項１１に記載の装置。
【請求項１７】
前記ＷＬＡＮ受信チェーンへのアクセスを獲得するための前記手段は、前記ＷＬＡＮ受信チェーンに関連付けられたネットワーク・アロケーション・ベクトル（ＮＡＶ）をしきい値またはしきい値よりも上の値に設定するように構成されている、請求項１１に記載の装置。
【請求項１８】
前記ＷＷＡＮのバックホールへのアクセスを獲得するための手段と、
前記バックホールを通じて前記関心信号をキャプチャするための手段と、
をさらに備える、請求項１１に記載の装置。
【請求項１９】
前記ＷＬＡＮ受信チェーンへのアクセスを獲得するための前記手段は、前記ＷＬＡＮ受信チェーンがＷＬＡＮ動作を実行することを妨げられる測定モードに入るように構成されている、請求項１１に記載の装置。
【請求項２０】
ＷＷＡＮ測定ギャップに対応する前記時間期間は、前記ＷＷＡＮによって送信される前記関心信号がシングルキャプチャで前記ＷＬＡＮ受信チェーンによってキャプチャされることを可能にする継続時間を有する、請求項１１に記載の装置。
【請求項２１】
ワイヤレス・ワイド・エリア・ネットワーク（ＷＷＡＮ）によって周期的に送信される関心信号をキャプチャするための装置であって、
ワイヤレス・ローカル・エリア・ネットワーク（ＷＬＡＮ）受信チェーンと、
ＷＷＡＮ受信チェーンと、
メモリと、
前記メモリに接続された少なくとも１つのプロセッサであって、
ＷＷＡＮ測定ギャップに対応する時間期間にわたって前記装置の前記ＷＬＡＮ受信チェーンの少なくとも一部へのアクセスを獲得することと、
前記ＷＷＡＮ受信チェーンを使用して前記ＷＷＡＮによって送信される前記関心信号をキャプチャすることを控えることと、
前記ＷＷＡＮによって送信される前記関心信号をキャプチャすることと、前記キャプチャすることは、前記測定ギャップ中に生じ、前記ＷＬＡＮ受信チェーンを使用して行われる、
前記獲得することおよび前記キャプチャすることを周期的に繰り返すことと、
を行うように構成された少なくとも１つのプロセッサと、
を備える装置。
【請求項２２】
前記少なくとも１つのプロセッサは、前記繰り返すことの間、キャプチャの周期および前記測定ギャップのうちの１つまたは複数を調節するようにさらに構成されている、請求項２１に記載の装置。
【請求項２３】
前記ＷＬＡＮ受信チェーンへのアクセスを獲得するために、前記少なくとも１つのプロセッサは、
仮想ＷＬＡＮフローと少なくとも１つの実際のＷＬＡＮフローとの間のコンテンション処理を可能にするために、前記仮想ＷＬＡＮフローに１つまたは複数のフロー特性を割り当てることと、
前記仮想ＷＬＡＮフローが前記コンテンションに勝つときに前記ＷＬＡＮ受信チェーンにアクセスすることと、
を行うように構成されている、請求項２１に記載の装置。
【請求項２４】
前記ＷＬＡＮ受信チェーンへのアクセスを獲得するために、前記少なくとも１つのプロセッサは、ＷＬＡＮ無線機をパワー・セーブ・モードに設定するように構成されている、請求項２１に記載の装置。
【請求項２５】
前記パワー・セーブ・モードは、アンスケジュールド・オートマチック・パワー・セーブ・デリバリ（Ｕ−ＡＰＳＤ）、ワイヤレス・マルチメディア・パワー・セーブ（ＷＭＭ−ＰＳ）、およびセーブマルチポール（ＰＳＭＰ）のうちの１つまたは複数を備える、請求項２４に記載の装置。
【請求項２６】
前記ＷＬＡＮ受信チェーンへのアクセスを獲得するために、前記少なくとも１つのプロセッサは、前記ＷＬＡＮ受信チェーンを非稼働中のＷＬＡＮチャネルにチューニングするように構成されている、請求項２１に記載の装置。
【請求項２７】
前記ＷＬＡＮ受信チェーンへのアクセスを獲得するために、前記少なくとも１つのプロセッサは、前記ＷＬＡＮ受信チェーンに関連付けられたネットワーク・アロケーション・ベクトル（ＮＡＶ）をしきい値またはしきい値よりも上の値に設定するように構成されている、請求項２１に記載の装置。
【請求項２８】
前記少なくとも１つのプロセッサは、
前記ＷＷＡＮのバックホールへのアクセスを獲得することと、
前記バックホールを通じて前記関心信号をキャプチャすることと、
を行うようにさらに構成されている、請求項２１に記載の装置。
【請求項２９】
前記ＷＬＡＮ受信チェーンへのアクセスを獲得するために、前記少なくとも１つのプロセッサは、前記ＷＬＡＮ受信チェーンがＷＬＡＮ動作を実行することを妨げられる測定モードに入るように構成されている、請求項２１に記載の装置。
【請求項３０】
ＷＷＡＮ測定ギャップに対応する前記時間期間は、前記ＷＷＡＮによって送信される前記関心信号がシングルキャプチャで前記ＷＬＡＮ受信チェーンによってキャプチャされることを可能にする継続時間を有する、請求項２１に記載の装置。
【請求項３１】
ワイヤレス・ローカル・エリア・ネットワーク（ＷＬＡＮ）受信チェーンとワイヤレス・ワイド・エリア・ネットワーク（ＷＷＡＮ）受信チェーンとの両方を備えるユーザ機器（ＵＥ）において、複数の通信フレームの各々の間にＷＷＡＮによって送信される関心信号をキャプチャする方法であって、
ＷＷＡＮ測定ギャップに対応する時間期間にわたって前記ＵＥの前記ＷＬＡＮ受信チェーンの少なくとも一部へのアクセスの獲得を試みることと、
前記ＷＷＡＮ受信チェーンを使用して前記ＷＷＡＮによって送信される前記関心信号をキャプチャすることを控えることと、
測定ギャップに対応する時間期間にわたって前記ＷＬＡＮ受信チェーンへのアクセスが獲得された場合、前記ＷＷＡＮによって送信される前記関心信号をキャプチャすることと、前記キャプチャすることは、前記測定ギャップ中に生じ、前記ＷＬＡＮ受信チェーンを使用して行われる、
測定ギャップに対応する時間期間にわたって前記ＷＬＡＮ受信チェーンへのアクセスが獲得されない場合、
前記複数の通信フレームの各々について、前記関心信号の送信の周期よりも短い継続時間に対応するキャプチャ長さにわたってデータをキャプチャすることと、ここで、各々のデータキャプチャは、各々のデータキャプチャのそれぞれの通信フレーム内の、他の通信フレームに対して異なるポイントにおいて生じ、前記キャプチャすることは、前記ＷＬＡＮ受信チェーンにより行われ、
前記送信の周期よりも長い継続時間に対応する等価な連続データを形成するために、前記複数のデータキャプチャを処理することと、
を備える方法。
【請求項３２】
ＷＷＡＮ測定ギャップに対応する前記時間期間は、前記ＷＷＡＮによって送信される前記関心信号がシングルキャプチャで前記ＷＬＡＮ受信チェーンによってキャプチャされることを可能にする継続時間を有する、請求項３１に記載の方法。
【発明の詳細な説明】
【技術分野】
【０００１】
関連出願
[0001]本出願は、参照によりその全体が本明細書に明示的に組み込まれる、２０１４年４月１４日に出願された「CAPTURE OF PSS AND SSS WITH WIRELESS LOCAL AREA NETWORK RECEIVE CHAIN」という名称の米国特許出願第１４／２５２，７７３号の利益を主張する。
【０００２】
[0002]本開示は、広くには、通信システムに関し、より詳しくは、ワイヤレス・ローカル・エリア・ネットワーク（ＷＬＡＮ）受信チェーンにおけるロング・ターム・エボリューション（ＬＴＥ（登録商標））波形のプライマリ同期信号（ＰＳＳ：primary synchronization signals）およびセカンダリ同期信号（ＳＳＳ：secondary synchronization signals）のキャプチャに関する。
【背景技術】
【０００３】
[0003]ワイヤレス通信システムが、電話、映像、データ、メッセージング、および放送、などの種々の電気通信サービスを提供するために広く展開されている。典型的なワイヤレス通信システムは、利用可能なシステムリソース（例えば、帯域幅、送信電力）を分配することによって多数のユーザとの通信をサポートすることができる多元接続技術を採用し得る。このような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、単一キャリア周波数分割多元接続（ＳＣ−ＦＤＭＡ）システム、および時分割同期符号分割多元接続（ＴＤ−ＳＣＤＭＡ）システムを含む。
【０００４】
[0004]これらの多元接続技術は、地方、国家、地域、ならびに世界のレベルにおいて様々なワイヤレスデバイスの通信を可能にする共通のプロトコルを提供するために種々の電気通信規格において採用されている。新興の電気通信規格の一例が、ロング・ターム・エボリューション（ＬＴＥ）である。ＬＴＥは、第３世代パートナーシッププロジェクト（３ＧＰＰ（登録商標））によって公表されたユニバーサル移動体通信システム（ＵＭＴＳ）モバイル規格の一連の改良である。ＬＴＥは、ダウンリンク（ＤＬ）でのＯＦＤＭＡ、アップリンク（ＵＬ）でのＳＣ−ＦＤＭＡ、および多入力多出力（ＭＩＭＯ）アンテナ技術を使用し、スペクトル効率の改善、コストの削減、サービスの改善、新たなスペクトルの利用、および他のオープンスタンダードとのより良好な統合によって、モバイル・ブロードバンド・インターネット・アクセスをより良好にサポートするように設計されている。しかしながら、モバイル・ブロードバンド・アクセスへの需要が増加を続けているがゆえに、ＬＴＥ技術のさらなる改善について、ニーズが存在している。好ましくは、これらの改善は、他の多元接続技術ならびにこれらの技術を採用する電気通信規格にも適用可能でなければならない。
【発明の概要】
【０００５】
[0005]複数の通信フレームの各々においてワイヤレス・ワイド・エリア・ネットワーク（ＷＷＡＮ）によって送信される関心信号（ｓｉｇｎａｌ  ｏｆ  ｉｎｔｅｒｅｓｔ）をキャプチャするための方法、コンピュータプログラム製品、および装置が提供される。関心信号は、プライマリ同期信号（ＰＳＳ）またはセカンダリ同期信号（ＳＳＳ）であり得、関心信号の送信の周期は、ＬＴＥ信号のためのＰＳＳおよび／またはＳＳＳを検出するために必要なキャプチャの最小継続時間である。ＷＷＡＮによって送信されるデータは、複数の通信フレームの各々に関してキャプチャされる。
【０００６】
[0006]一実装形態において、データは、関心信号の送信の周期よりも短い継続時間に対応するキャプチャ長さ（capture length）にわたってキャプチャされる。キャプチャは、ＷＬＡＮ受信チェーンにより行われ、各キャプチャは、それぞれの通信フレーム内の、他の通信フレームに対して異なるポイントにおいて生じる。複数のデータキャプチャが処理され、送信の周期よりも長い継続時間に対応する等価の連続データを形成する。連続データは関心信号の送信の周期よりも長い継続時間を有するので、関心信号は、キャプチャされたデータに含まれることになり、ＰＳＳおよび／またはＳＳＳの検出が起こり得る。
【０００７】
[0007]上述の実装形態は、ＷＬＡＮ無線機の利用可能性が、関心信号をシングルショットでキャプチャするために充分なキャプチャ継続時間を可能にしない状況に当てはまる。例えば、上記の状況は、ＷＬＡＮモデムが５．１ｍｓのデータを一度にキャプチャすることを可能にしない。したがって、５．１ｍｓのデータを得るために、複数のキャプチャが時間をかけて行われ、蓄積される。いくつかの状況においては、ＷＬＡＮモデムが、シングルショットでの信号キャプチャを可能にするためのより長い時間期間にわたって利用可能であり得る。
【０００８】
[0008]したがって、別の実装形態においては、ワイヤレス・ローカル・エリア・ネットワーク（ＷＬＡＮ）受信チェーンへのアクセスが、測定ギャップに対応する時間期間にわたって獲得される。ＷＷＡＮによって送信される関心信号は、ＷＬＡＮ受信チェーンを使用して測定ギャップ中にキャプチャされる。ＷＬＡＮ受信チェーンへのアクセスは、いくつかのやり方のうちのいずれか１つにて獲得され得る。例えば、アクセスは、１）仮想フローを通じてＬＴＥ測定のためのＷＬＡＮ受信チェーンアクセスを要求すること、２）パワー・セーブ・モードに入ること、３）非稼働中のＷＬＡＮチャネルにチューニングすること、４）ネットワーク・アロケーション・ベクトル（ＮＡＶ）をしきい値またはしきい値よりも上に設定すること、あるいは５）ＷＬＡＮ受信チェーンがＷＬＡＮ動作を実行することを妨げられる測定モードに入ること、によって獲得され得る。
【０００９】
[0009]別の実装形態において、それは上記の実装形態の組み合わせであり、測定ギャップに対応する時間期間についてＷＬＡＮ受信チェーンへのアクセスの獲得が試みられる。試みが成功する場合、関心信号は、ＷＬＡＮ受信チェーンを使用して測定ギャップ中にキャプチャされる。測定ギャップについてＷＬＡＮ受信チェーンへのアクセスの獲得の試みが成功しない場合、複数の通信フレームの各々について、データが、関心信号の送信の周期よりも短い継続時間に対応するキャプチャ長さにわたってキャプチャされる。キャプチャは、ＷＬＡＮ受信チェーンで行われ、各々のキャプチャは、それぞれの通信フレーム内の、他の通信フレームに対して異なるポイントにおいて生じる。複数のデータキャプチャが処理され、送信の周期よりも長い継続時間に対応する等価の連続データを形成する。
【図面の簡単な説明】
【００１０】
【図１】[0010]図１は、ネットワークアーキテクチャの例を示す図である。
【図２】[0011]図２は、アクセスネットワークの例を示す図である。
【図３】[0012]図３は、ＬＴＥにおけるＤＬフレーム構造の例を示す図である。
【図４】[0013]図４は、ＬＴＥにおけるＵＬフレーム構造の例を示す図である。
【図５】[0014]図５は、ユーザおよび制御プレーンのための無線プロトコルアーキテクチャの例を示す図である。
【図６】[0015]図６は、アクセスネットワークにおける発展型ノードＢおよびユーザ機器の例を示す図である。
【図７】[0016]図７は、複数の無線機を備えるＵＥの図である。
【図８】[0017]図８は、時間ドメインにおけるＬＴＥの無線通信フレーム構造の図である。
【図９】[0018]図９は、ＬＴＥ通信フレームとともに第１のタイプのＢｌｕｅｔｏｏｔｈ（登録商標）通信ウインドウを示す図である。
【図１０】[0019]図１０は、５．１ｍｓのデータサンプルに充分なＢｌｕｅｔｏｏｔｈ通信ウインドウを示す図である。
【図１１】[0020]図１１は、ＬＴＥ通信フレームとともに第２のタイプのＢｌｕｅｔｏｏｔｈ通信ウインドウを示す図である。
【図１２】[0021]図１２は、複数の通信フレームの各々の間にＷＷＡＮによって送信される関心信号をキャプチャする方法のフローチャートである。
【図１３】[0022]図１３は、図１２の方法を実装する例示的な装置における種々のモジュール／手段／コンポーネント間のデータの流れを説明する概念的なデータフロー図である。
【図１４】[0023]図１４は、請求項１２の方法を実装する処理システムを用いる装置についてのハードウェア実装の例を示す図である。
【図１５】[0024]図１５は、ＷＷＡＮによって周期的に送信される関心信号をキャプチャする方法のフローチャートである。
【図１６】[0025]図１６は、図１６の方法を実装する例示的な装置における種々のモジュール／手段／コンポーネント間のデータの流れを説明する概念的なデータフロー図である。
【図１７】[0026]図１７は、図１５の方法を実装する処理システムを用いる装置のハードウェア実装の例を示す図である。
【発明を実施するための形態】
【００１１】
[0027]添付の図面に関連して以下で述べられる詳細な説明は、種々の構成の説明として意図されており、本明細書に記載の考え方が実現され得る構成だけを表そうとしたものではない。詳細な説明は、種々の考え方の完全な理解をもたらす目的で、具体的な詳細を含む。しかしながら、これらの考え方が、これらの具体的な詳細を備えることなく実施され得ることは、当業者にとって明らかであろう。いくつかの場合においては、このような考え方を不明瞭にしてしまわないよう、周知の構造およびコンポーネントは、ブロック図の形態で示されている。
【００１２】
[0028]次に、電気通信システムのいくつかの態様が、種々の装置および方法に関して提示される。これらの装置および方法は、種々のブロック、モジュール、コンポーネント、回路、工程、処理、アルゴリズムなど（まとめて「要素」と称される）によって、以下の詳細な説明において説明され、添付の図面に示される。これらの要素は、電子ハードウェア、コンピュータソフトウェア、またはこれらの任意の組み合わせを使用して実現され得る。このような要素がハードウェアとして実現されるか、あるいはソフトウェアとして実現されるかは、個々の用途およびシステム全体に課される設計上の制約事項に依存する。
【００１３】
[0029]例えば、要素、または要素のいずれかの部分、あるいは要素の何らかの組み合わせが、１つまたは複数のプロセッサを含む「処理システム」で実現され得る。プロセッサの例は、マイクロプロセッサ、マイクロコントローラ、デジタル信号プロセッサ（ＤＳＰ）、フィールド・プログラマブル・ゲート・アレイ（ＦＰＧＡ）、プログラマブル論理素子（ＰＬＤ）、ステートマシン、ゲート論理、ディスクリートハードウェア回路、および本開示の各所に記載の種々の機能を実行するように構成された他の適切なハードウェアを含む。処理システム内の１つまたは複数のプロセッサは、ソフトウェアを実行し得る。ソフトウェアは、ソフトウェア、ファームウェア、ミドルウェア、マイクロコード、またはハードウェア記述言語のいずれとして言及されても、あるいは他の方法で言及されても、インストラクション、インストラクションセット、コード、コード部分、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、機能、などを意味するものと広く解釈されるべきである。
【００１４】
[0030]したがって、１つまたは複数の典型的な実施形態において、上述の機能は、ハードウェア、ソフトウェア、ファームウェア、またはこれらの任意の組み合わせにて実現され得る。ソフトウェアにて実現される場合、これらの機能は、コンピュータ可読媒体上に１つまたは複数のインストラクションまたはコードとして保存またはエンコードされ得る。コンピュータ可読媒体は、コンピュータ記憶媒体を含む。記憶媒体は、コンピュータによってアクセスされ得る任意の利用可能な媒体であり得る。これらに限られるわけではないが、例として、このようなコンピュータ可読媒体は、ランダムアクセスメモリ（ＲＡＭ）、読み出し専用メモリ（ＲＯＭ）、電気的に消去可能なプログラマブルＲＯＭ（ＥＥＰＲＯＭ（登録商標））、コンパクトディスクＲＯＭ（ＣＤ−ＲＯＭ）または他の光ディスク記憶装置、磁気ディスク記憶装置または他の磁気記憶装置、あるいは所望のプログラムコードをインストラクションまたはデータ構造の形態で保持または記憶するために使用されるができ、コンピュータによってアクセスされることができる任意の他の媒体を備えることができる。上記の組み合わせもまた、コンピュータ可読媒体の範囲内に含まれるべきである。
【００１５】
[0031]図１は、ＬＴＥネットワークアーキテクチャ１００を説明する図である。ＬＴＥネットワークアーキテクチャ１００は、発展型パケット・システム（ＥＰＳ：Evolved Packet System）１００と称され得る。ＥＰＳ１００は、１つまたは複数のユーザ機器（ＵＥ）１０２と、発展型ＵＭＴＳ地上波無線アクセスネットワーク（Ｅ−ＵＴＲＡＮ）１０４と、発展型パケット・コア（ＥＰＣ）１１０と、オペレータのインターネットプロトコル（ＩＰ）サービス１２２とを含み得る。ＥＰＳは、他のアクセスネットワークとの相互接続が可能であるが、分かり易くするために、これらのエンティティ／インターフェイスは示されていない。図示のとおり、ＥＰＳはパケット交換サービスを提供するが、当業者であれば容易に理解できるとおり、本開示の全体において提示される種々の考え方は、回路交換サービスを提供するネットワークにも拡張され得る。
【００１６】
[0032]Ｅ−ＵＴＲＡＮは、発展型Ｎｏｄｅ  Ｂ（ｅＮＢ：evolved Node B）１０６および他のｅＮＢ１０８を含み、マルチキャスト協調エンティティ（ＭＣＥ：Multicast Coordination Entity）１２８を含み得る。ｅＮＢ１０６は、ＵＥ１０２へのユーザおよび制御プレーンプロトコル終端を提供する。ｅＮＢ１０６は、バックホール（例えば、Ｘ２インターフェイス）を介して他のｅＮＢ１０８に接続され得る。ＭＣＥ１２８は、発展型マルチメディア・ブロードキャスト・マルチキャスト・サービス（ｅＭＢＭＳ）のために時間／周波数無線リソースを割り当て、ｅＭＢＭＳのための無線設定（例えば、変調およびコーディングスキーム（ＭＣＳ））を決定する。ＭＣＥ１２８は、別個のエンティティまたはｅＮＢ１０６の一部であり得る。ｅＮＢ１０６は、基地局、Ｎｏｄｅ  Ｂ、アクセスポイント、ベース・トランシーバ・ステーション、無線基地局、無線トランシーバ、トランシーバ機能、基本サービスセット（ＢＳＳ）、拡張サービスセット（ＥＳＳ）、または何らかの他の適切な用語で呼ばれ得る。ｅＮＢ１０６は、ＵＥ１０２にＥＰＣ１１０へのアクセスポイントを提供する。ＵＥ１０２の例は、携帯電話機、スマートフォン、セッション・イニシエーション・プロトコル（ＳＩＰ）フォン、ラップトップ、携帯情報端末（ＰＤＡ）、衛星無線機、グローバル・ポジショニング・システム、マルチメディアデバイス、ビデオデバイス、デジタル・オーディオ・プレイヤー（例えば、ＭＰ３プレイヤー）、カメラ、ゲーム機、タブレット、または任意の他の同様の機能デバイスを含む。ＵＥ１０２は、また、当業者により、移動局、加入者設備、モバイルユニット、加入者ユニット、ワイヤレスユニット、リモートユニット、移動機、ワイヤレスデバイス、ワイヤレス通信デバイス、リモートデバイス、移動加入者設備、アクセス端末、モバイル端末、ワイヤレス端末、リモート端末、ハンドセット、ユーザエージェント、モバイルクライアント、クライアント、または何らかの他の適切な用語でも呼ばれ得る。
【００１７】
[0033]ｅＮＢ１０６は、ＥＰＣ１１０へと接続される。ＥＰＣ１１０は、移動管理エンティティ（ＭＭＥ）１１２、ホーム加入者サーバ（ＨＳＳ）１２０、他のＭＭＥ１１４、サービングゲートウェイ（ＳＧＷ）１１６、マルチメディア・ブロードキャスト・マルチキャスト・サービス（ＭＢＭＳ）ゲートウェイ１２４、ブロードキャスト・マルチキャスト・サービス・センタ（ＢＭ−ＳＣ）１２６、およびパケット・データ・ネットワーク（ＰＤＮ）ゲートウェイ（ＰＧＷ）１１８を含み得る。ＭＭＥ１１２は、ＵＥ１０２とＥＰＣ１１０との間の信号伝達を処理する制御ノードである。一般に、ＭＭＥ１１２は、ベアラー（bearer）および接続の管理を提供する。すべてのユーザＩＰパケットは、サービングゲートウェイ１１６を通って運ばれ、サービングゲートウェイ１１６自身は、ＰＤＮゲートウェイ１１８に接続される。ＰＤＮゲートウェイ１１８は、ＵＥ  ＩＰアドレス割り当てならびに他の機能を提供する。ＰＤＮゲートウェイ１１８およびＢＭ−ＳＣ１２６は、ＩＰサービス１２２へと接続される。ＩＰサービス１２２は、インターネット、イントラネット、ＩＰマルチメディアサブシステム（ＩＭＳ）、ＰＳストリーミングサービス（ＰＳＳ）、および／または他のＩＰサービスを含み得る。ＢＭ−ＳＣ１２６は、ＭＢＭＳユーザサービスの供給および配信のための機能を提供し得る。ＢＭ−ＳＣ１２６は、コンテンツプロバイダのＭＢＭＳ送信のためのエントリポイントとして機能し得、地上波公共移動通信ネットワーク（ＰＬＭＮ）においてＭＢＭＳベアラーサービスを許可および開始させるために使用され得、ＭＢＭＳ送信のスケジュールおよび配信に使用され得る。ＭＢＭＳゲートウェイ１２４は、特定のサービスをブロードキャストしているマルチキャストブロードキャスト単一周波数ネットワーク（ＭＢＳＦＮ）に属するｅＮＢ（例えば、１０６、１０８）へとＭＢＭＳトラフィックを分配するために使用され得、セッション管理（開始／停止）およびｅＭＢＭＳ関連の課金情報の収集を担当し得る。
【００１８】
[0034]図２は、ＬＴＥネットワークアーキテクチャにおけるアクセスネットワーク２００の例を示す図である。この例において、アクセスネットワーク２００は、いくつかのセルラー領域（セル）２０２に分割されている。１つまたは複数のより低い電力クラスのｅＮＢ２０８は、セル２０２のうちの１つまたは複数と重複するセルラー領域２１０を有し得る。より低い電力クラスのｅＮＢ２０８は、フェムトセル（例えば、ホームｅＮＢ（ＨｅＮＢ））、ピコセル、マイクロセル、またはリモートラジオヘッド（ＲＲＨ）であり得る。マクロｅＮＢ２０４の各々が、それぞれのセル２０２に割り当てられ、セル２０２内のすべてのＵＥ２０６のためにＥＰＣ１１０へのアクセスポイントを提供するように構成される。アクセスネットワーク２００のこの例では、中央集中コントローラが存在しないが、代案の構成においては、中央集中コントローラが使用され得る。ｅＮＢ２０４は、無線ベアラー制御、アドミッション制御、モビリティ制御、スケジューリング、セキュリティ、およびサービングゲートウェイ１１６への接続を含むすべての無線関連機能を担当する。ｅＮＢは、１つまたは複数（例えば、３つ）のセル（セクタとも称される）をサポートし得る。用語「セル」は、ｅＮＢの最小のカバレッジ領域を指すことができ、かつ／またはｅＮＢサブシステムのサービング（serving）は、特定のカバレッジ領域である。さらに、用語「ｅＮＢ」、「基地局」、および「セル」は、本明細書において交換可能に使用され得る。
【００１９】
[0035]アクセスネットワーク２００によって用いられる変調および多元接続のスキームは、展開されている特定の電気通信規格に依存して様々であり得る。ＬＴＥアプリケーションにおいては、ＤＬにおいてＯＦＤＭＡが使用され、ＵＬにおいてＳＣ−ＦＤＭＡが使用され、周波数分割複信（ＦＤＤ）および時分割複信（ＴＤＤ）の両方がサポートされる。当業者であれば以下の詳細な説明から容易に理解できるとおり、本明細書に提示される種々の考え方は、ＬＴＥアプリケーションによく適している。しかしながら、これらの考え方は、他の変調および多元接続技術を使用する他の電気通信規格に容易に拡張され得る。例として、これらの考え方は、エボリューション・データ・オプティマイズド（ＥＶ−ＤＯ）またはウルトラ・モバイル・ブロードバンド（ＵＭＢ）に拡張され得る。ＥＶ−ＤＯおよびＵＭＢは、第３世代パートナーシッププロジェクト２（３ＧＰＰ２）によってＣＤＭＡ２０００ファミリの規格の一部として公表されたエアインターフェイス規格であり、ＣＤＭＡを用いて移動局にブロードバンド・インターネット・アクセスを提供する。さらに、これらの考え方は、広帯域ＣＤＭＡ（Ｗ−ＣＤＭＡ（登録商標））およびＴＤ−ＳＣＤＭＡなどのＣＤＭＡの他の変種を用いるユニバーサル地上波無線アクセス（ＵＴＲＡ）、ＴＤＭＡを用いるグローバル・システム・フォー・モバイル・コミュニケーションズ（ＧＳＭ（登録商標）、ならびにＯＦＤＭＡを用いる発展型ＵＴＲＡ（Ｅ−ＵＴＲＡ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、およびフラッシュＯＦＤＭに拡張され得る。ＵＴＲＡ、Ｅ−ＵＴＲＡ、ＵＭＴＳ、ＬＴＥ、およびＧＳＭは、３ＧＰＰ団体からの文書において説明されている。ＣＤＭＡ２０００およびＵＭＢは、３ＧＰＰ２団体からの文書において説明されている。用いられる実際のワイヤレス通信規格および多元接続技術は、具体的な用途およびシステムに課された全体的な設計の制約に依存することになる。
【００２０】
[0036]ｅＮＢ２０４は、ＭＩＭＯ技術をサポートする複数のアンテナを有し得る。ＭＩＭＯ技術の使用により、ｅＮＢ２０４は、空間ドメインを利用して空間多重化、ビームフォーミング、および送信ダイバーシティをサポートすることができる。空間多重化は、同じ周波数において同時に異なるデータストリームを送信するために使用され得る。データストリームは、データレートを高めるために単一のＵＥ２０６に送信されてよく、あるいは全体としてのシステムの能力を高めるために複数のＵＥ２０６に送信され得る。これは、各々のデータストリームを空間的にプリコーディング（spatially precoding）（すなわち、振幅および位相のスケーリングを適用）し、次いで空間的にプリコーディングされた各々のストリームをＤＬにおいて複数の送信アンテナを通じて送信することによって達成される。空間的にプリコーディングされたデータストリームが、異なる空間シグネチャ（spatial signature）を有してＵＥ２０６に到達し、そのことにより、各々のＵＥ２０６は、このＵＥ２０６に向けられた１つまたは複数のデータストリームを復元することができる。ＵＬにおいて、各々のＵＥ２０６が、空間的にプリコーディングされたデータストリームを送信し、そのことにより、ｅＮＢ２０４は、空間的にプリコーティングされた各々のデータストリームのソースを識別できるようになる。
【００２１】
[0037]空間多重化は、一般的に、チャネル条件が良好な場合に使用される。チャネル条件があまり良好でない場合、送信エネルギーを１つまたは複数の方向に集中させるために、ビームフォーミングが使用され得る。これは、複数のアンテナによる送信のためにデータを空間的にプリコーディングすることによって達成され得る。セルの端における良好なカバレッジを達成するために、単一ストリームのビームフォーミング送信が、送信ダイバーシティと組み合わせて使用され得る。
【００２２】
[0038]以下の詳細な説明においては、アクセスネットワークの種々の態様が、ＤＬにおいてＯＦＤＭをサポートするＭＩＭＯシステムに関連して説明される。ＯＦＤＭは、ＯＦＤＭシンボル内のいくつかのサブキャリアにわたってデータを変調するスペクトル拡散技術である。サブキャリアは、間隔を開けて精密周波数に位置している。間隔は、サブキャリアからのデータの復元を受信機にとって可能にする「直交性」を提供する。時間ドメインにおいて、ＯＦＤＭシンボル間干渉に対抗するために、ガードインターバル（例えば、サイクリックプリフィクス）が、各々のＯＦＤＭシンボルに追加され得る。ＵＬは、高いピーク対平均電力比（peak-to-average power ratio）（ＰＡＰＲ）を補償するために、ＤＦＴ拡散ＯＦＤＭ信号の形態のＳＣ−ＦＤＭＡを使用し得る。
【００２３】
[0039]図３は、ノーマルサイクリックプリフィクス（normal cyclic prefix）を使用するＬＴＥにおけるＤＬフレーム構造の例を示す図３００である。フレーム（１０ｍｓ）は、それぞれが１ｍｓの継続時間である１０個の等しいサイズのサブフレームに分割され得る。各サブフレームは、２個の連続するタイムスロットを含み得る。各タイムスロットがリソースブロックを含む、２個のタイムスロットを表すために、リソースグリッドが使用され得る。リソースグリッドは、複数のリソースエレメントに分割される。ＬＴＥにおいては、ノーマルサイクリックプリフィクスに関して、リソースブロックが、周波数ドメインにおいて１２個の連続するサブキャリアを含むとともに、時間ドメインにおいて７個の連続するＯＦＤＭシンボルを含み、合計で８４個のリソースエレメントを含む。拡張サイクリックプリフィクスに関しては、リソースブロックが、周波数ドメインにおいて１２個の連続するサブキャリアを含むとともに、時間ドメインにおいて６個の連続するＯＦＤＭシンボルを含み、合計で７２個のリソースエレメントを含む。リソースエレメントのうちのＲ  ３０２、３０４として示されるいくつかは、ＤＬ基準信号（ＤＬ−ＲＳ）を含む。ＤＬ−ＲＳは、セル固有のＲＳ（ＣＲＳ）（共通ＲＳと呼ばれることもある）３０２と、ＵＥ固有のＲＳ（ＵＥ−ＲＳ）３０４とを含む。ＵＥ−ＲＳ３０４は、対応する物理ＤＬ共有チャネル（ＰＤＳＣＨ）がマッピングされたリソースブロックにおいてのみ送信される。各々のリソースエレメントによって搬送されるビット数は、変調スキームに依存する。すなわち、ＵＥが受信するリソースブロックがより多く、変調スキームが高度であるほど、このＵＥについてのデータレートは高くなる。
【００２４】
[0040]図４は、ＬＴＥにおけるＵＬフレーム構造の例を示す図４００である。ＵＬのために利用可能なリソースブロックは、データセクションと制御セクションとに分割され得る。制御セクションは、システム帯域幅の両端に形成され得、設定可能なサイズを有し得る。制御セクション内のリソースブロックは、制御情報の送信のためにＵＥに割り当てられ得る。データセクションは、制御セクションに含まれないすべてのリソースブロックを含み得る。ＵＬフレーム構造は、連続するサブキャリアを含むデータセクションをもたらし、これは、データセクションの連続するサブキャリアのすべてを単一のＵＥに割り当てることを可能にし得る。
【００２５】
[0041]ＵＥに、ｅＮＢに制御情報を送信するために、制御セクションのリソースブロック４１０ａ、４１０ｂが割り当てられ得る。さらに、ＵＥに、ｅＮＢにデータを送信するために、データセクションのリソースブロック４２０ａ、４２０ｂが割り当てられ得る。ＵＥは、制御セクションの割り当てられたリソースブロックにおいて、物理ＵＬ制御チャネル（ＰＵＣＣＨ）にて制御情報を送信し得る。ＵＥは、データセクションの割り当てられたリソースブロックにおいて、物理ＵＬ共有チャネル（ＰＵＳＣＨ）にてデータのみ、またはデータおよび制御情報の両方を送信し得る。ＵＬ送信は、サブフレームの両方のスロットにまたがり得、周波数を横断してホッピングし得る。
【００２６】
[0042]リソースブロックの組が、物理ランダム・アクセス・チャネル（ＰＲＡＣＨ）４３０において初期システムアクセスを実行し、ＵＬ同期を達成するために使用され得る。ＰＲＡＣＨ４３０は、ランダムシーケンスを搬送するが、いかなるＵＬデータ／シグナリングも搬送できない。各々のランダム・アクセス・プリアンブルが、連続する６個のリソースブロックに対応する帯域幅を占める。開始周波数は、ネットワークによって指定される。すなわち、ランダム・アクセス・プリアンブルの送信は、特定の時間および周波数リソースに限られる。ＰＲＡＣＨについて、周波数ホッピングは存在しない。ＰＲＡＣＨの試みは、単一のサブフレーム（１ｍｓ）または連続した少数のサブフレームのシーケンスにて搬送され、ＵＥは、１フレーム（１０ｍｓ）につき１回だけＰＲＡＣＨの試みを行うことができる。
【００２７】
[0043]図５は、ＬＴＥにおけるユーザおよび制御プレーンのための無線プロトコルアーキテクチャの例を示す図５００である。ＵＥおよびｅＮＢのための無線プロトコルアーキテクチャが、レイヤ１、レイヤ２、およびレイヤ３という３つのレイヤを有して示されている。レイヤ１（Ｌ１レイヤ）は、最下位のレイヤであり、種々の物理レイヤ信号処理機能を実現する。Ｌ１レイヤは、本明細書において、物理レイヤ５０６と呼ばれる。レイヤ２（Ｌ２レイヤ）５０８は、物理レイヤ５０６の上方にあり、物理レイヤ５０６を介したＵＥとｅＮＢとの間のリンクを担当する。
【００２８】
[0044]ユーザプレーンにおいて、Ｌ２レイヤ５０８は、媒体アクセス制御（ＭＡＣ）サブレイヤ５１０、無線リンク制御（ＲＬＣ）サブレイヤ５１２、およびパケット・データ・コンバージェンス・プロトコル（ＰＤＣＰ）５１４サブレイヤを含み、これらはネットワーク側においてｅＮＢで終端とされる。図示されていないが、ＵＥは、ネットワーク側においてＰＤＮゲートウェイ１１８を終端とするネットワークレイヤ（例えば、ＩＰレイヤ）および接続の他端（例えば、遠端のＵＥ、サーバ、など）を終端とするアプリケーションレイヤを含むＬ２レイヤ５０８の上方のいくつかの上位レイヤを有し得る。
【００２９】
[0045]ＰＤＣＰサブレイヤ５１４は、異なる無線ベアラーおよび論理チャネルの間の多重化を提供する。ＰＤＣＰサブレイヤ５１４は、また、無線送信のオーバーヘッドを減らすための上位レイヤのデータパケットのヘッダ圧縮、データパケットを暗号化することによるセキュリティ、およびｅＮＢ間のＵＥのハンドオーバのサポートを提供する。ＲＬＣサブレイヤ５１２は、ハイブリッド自動再送要求（ＨＡＲＱ）に起因して順序が乱れた受信を補償するために、上位レイヤデータパケットの分割および再構築、失われたデータパケットの再送、およびデータパケットの並べ替えを提供する。ＭＡＣサブレイヤ５１０は、論理およびトランスポートチャネルの間の多重化を提供する。ＭＡＣサブレイヤ５１０は、また、１つのセルの種々の無線リソース（例えば、リソースブロック）のＵＥ間の割り当てを担当する。また、ＭＡＣサブレイヤ５１０は、ＨＡＲＱ動作も担当する。
【００３０】
[0046]制御プレーンにおいて、ＵＥおよびｅＮＢのための無線プロトコルアーキテクチャは、制御プレーンにはヘッダ圧縮機能が存在しない点を除き、物理レイヤ５０６およびＬ２レイヤ５０８について実質的に同じである。制御プレーンは、また、レイヤ３（Ｌ３レイヤ）に無線リソース制御（ＲＲＣ）サブレイヤ５１６を含む。ＲＲＣサブレイヤ５１６は、無線リソース（例えば、無線ベアラー）の獲得、およびｅＮＢとＵＥとの間のＲＲＣシグナリングを用いる下位レイヤの設定を担当する。
【００３１】
[0047]図６は、アクセスネットワークにおいてＵＥ６５０と通信するｅＮＢ６１０のブロック図である。ＤＬにおいて、コアネットワークからの上位レイヤパケットが、コントローラ／プロセッサ６７５に提供される。コントローラ／プロセッサ６７５は、Ｌ２レイヤの機能を実現する。ＤＬにおいて、コントローラ／プロセッサ６７５は、ヘッダ圧縮、暗号化、パケットの分割および並べ替え、論理およびトランスポートチャネルの間の多重化、ならびに種々の優先度の基準に基づくＵＥ６５０への無線リソースの割り当てを提供する。さらに、コントローラ／プロセッサ６７５は、ＨＡＲＱ動作、失われたパケットの再送、およびＵＥ６５０へのシグナリングを担当する。
【００３２】
[0048]送信（ＴＸ）プロセッサ６１６が、Ｌ１レイヤ（すなわち、物理レイヤ）のための種々の信号処理機能を実現する。信号処理機能は、ＵＥ６５０での前方誤り訂正（ＦＥＣ）を容易にするためのコーディングおよびインターリービング、ならびに種々の変調スキーム（例えば、二位相偏移変調（ＢＰＳＫ）、四位相偏移変調（ＱＰＳＫ）、多値位相偏移変調（Ｍ−ＰＳＫ）、多値直交振幅変調（Ｍ−ＱＡＭ））に基づく信号コンスタレーションへのマッピングを含む。コーディングおよび変調後のシンボルは、次いで、並列ストリームに分けられる。次に、各々のストリームが、ＯＦＤＭサブキャリアにマッピングされ、時間および／または周波数ドメインにおいて基準信号（例えば、パイロット）と多重化され、次いで逆高速フーリエ変換（ＩＦＦＴ）を用いて一体に結合され、時間ドメインＯＦＤＭシンボルストリームを搬送する物理チャネルが生成される。ＯＦＤＭストリームは、複数の空間ストリームを生成するために空間的にプリコーディングされる。コーディングおよび変調スキームの決定、ならびに空間処理のために、チャネル推定器６７４からのチャネル推定値が使用され得る。チャネル推定値は、ＵＥ６５０によって送信された基準信号および／またはチャネル条件フィードバックから導出され得る。次いで、各々の空間ストリームが、別個の送信機６１８ＴＸを介して異なるアンテナ６２０にもたらされ得る。各々の送信機６１８ＴＸは、送信のために、それぞれの空間ストリームでＲＦキャリアを変調し得る。
【００３３】
[0049]ＵＥ６５０において、各々の受信機６５４ＲＸが、それぞれのアンテナ６５２を通して信号を受信する。各々の受信機６５４ＲＸは、ＲＦキャリア上に変調された情報を復元し、この情報を受信（ＲＸ）プロセッサ６５６に提供する。ＲＸプロセッサ６５６は、Ｌ１レイヤの種々の信号処理機能を実現する。ＲＸプロセッサ６５６は、ＵＥ６５０に向けられた任意の空間ストリームを復元するために、情報に対して空間処理を実行し得る。複数の空間ストリームがＵＥ６５０に向けられている場合、これらは、ＲＸプロセッサ６５６によって単一のＯＦＤＭシンボルストリームに結合され得る。次に、ＲＸプロセッサ６５６は、高速フーリエ変換（ＦＦＴ）を用いて、ＯＦＤＭシンボルストリームを時間ドメインから周波数ドメインに変換する。周波数ドメインの信号は、ＯＦＤＭ信号の各々のサブキャリアについて別々のＯＦＤＭシンボルストリームを備える。各々のサブキャリア上のシンボルおよび基準信号は、ｅＮＢ６１０によって送信された最も可能性の高い信号コンスタレーションポイントを決定することによって復元および復調される。これらの軟判定（soft decisions）は、チャネル推定器６５８によって計算されたチャネル推定値に基づき得る。次に、軟判定が、物理チャネルにおいてｅＮＢ６１０によって最初に送信されたデータおよび制御信号を復元するために、復号およびデインターリーブされる。次いで、データおよび制御信号は、コントローラ／プロセッサ６５９にもたらされる。
【００３４】
[0050]コントローラ／プロセッサ６５９は、Ｌ２レイヤを実装する。コントローラ／プロセッサは、プログラムコードおよびデータを格納するメモリ６６０に関連づけられ得る。メモリ６６０は、コンピュータ可読媒体と呼ばれ得る。ＵＬにおいて、コントローラ／プロセッサ６５９は、コアネットワークからの上位レイヤパケットを復元するために、トランスポートおよび論理チャネルの間の多重化の解除、パケットの再構築、暗号化の解除、ヘッダ圧縮の解凍、ならびに制御信号の処理を提供する。次に、上位レイヤパケットは、データシンク６６２に提供され、データシンク６６２は、Ｌ２レイヤよりも上位のすべてのプロトコルレイヤを表す。種々の制御信号も、Ｌ３処理のために、データシンク６６２に提供され得る。さらに、コントローラ／プロセッサ６５９は、ＨＡＲＱ動作をサポートするために、肯定応答（ＡＣＫ）および／または否定応答（ＮＡＣＫ）プロトコルを使用した誤り検出を担当する。
【００３５】
[0051]ＵＬにおいて、データソース６６７が、コントローラ／プロセッサ６５９に上位レイヤパケットをもたらすために使用される。データソース６６７は、Ｌ２レイヤよりも上位のすべてのプロトコルレイヤを表す。ｅＮＢ６１０によるＤＬ送信に関連して説明した機能と同様に、コントローラ／プロセッサ６５９は、ヘッダ圧縮、暗号化、パケットの分割および並べ替え、ならびにｅＮＢ６１０による無線リソースの割り当てに基づいた論理およびトランスポートチャネルとの間の多重化を提供することにより、ユーザプレーンおよび制御プレーンのためのＬ２レイヤを実現する。また、コントローラ／プロセッサ６５９は、ＨＡＲＱ動作、失われたパケットの再送、およびｅＮＢ６１０へのシグナリングを担当する。
【００３６】
[0052]ｅＮＢ６１０によって送信された基準信号またはフィードバックからチャネル推定器６５８によって導出されるチャネル推定値が、適切なコーディングおよび変調のスキームを選択し、空間処理を容易にするために、ＴＸプロセッサ６６８によって使用され得る。ＴＸプロセッサ６６８によって生成された空間ストリームは、個々の送信機６５４ＴＸを介して異なるアンテナ６５２に提供され得る。各々の送信機６５４ＴＸは、送信のために、それぞれの空間ストリームでＲＦキャリアを変調し得る。
【００３７】
[0053]ＵＬ送信は、ｅＮＢ６１０において、ＵＥ６５０における受信機の機能に関連して説明した方法と同様の方法で処理される。各々の受信機６１８ＲＸが、それぞれのアンテナ６２０を通して信号を受信する。各々の受信機６１８ＲＸは、ＲＦキャリア上に変調された情報を復元し、この情報をＲＸプロセッサ６７０にもたらす。ＲＸプロセッサ６７０は、Ｌ１レイヤを実現し得る。
【００３８】
[0054]コントローラ／プロセッサ６７５が、Ｌ２レイヤを実現する。コントローラ／プロセッサ６７５は、プログラムコードおよびデータを格納するメモリ６７６に関連づけられ得る。メモリ６７６は、コンピュータ可読媒体と呼ばれ得る。ＵＬにおいて、コントロール／プロセッサ６７５は、ＵＥ６５０からの上位レイヤパケットを復元するために、トランスポートおよび論理チャネルの間の多重化の解除、パケットの再構築、暗号化の解除、ヘッダ圧縮の解凍、ならびに制御信号の処理を提供する。コントローラ／プロセッサ６７５からの上位レイヤパケットは、コアネットワークに提供され得る。さらに、コントローラ／プロセッサ６７５は、ＨＡＲＱ動作をサポートするために、ＡＣＫおよび／またはＮＡＣＫプロトコルを使用した誤り検出を担当する。
【００３９】
[0055]図７は、複数の無線機を備えたＵＥ７０２の図７００である。ＵＥ７０２は、ＷＷＡＮ（２／３／４Ｇ  ＬＴＥ）無線機７０４およびＷＬＡＮ（８０２．１１）無線機７０６を含み得る。ＷＷＡＮ無線機およびＷＬＡＮ無線機は、最初は特定の通信のニーズに合わせて設計されているが、技術の進歩およびより高いデータレートの必要性により、これらの２つのタイプの無線機の使用は、重複し始めている。ＷＷＡＮモデム７０４を支援するために利用可能であるときはいつでもＷＬＡＮモデム７０６を使用することが可能であり、逆もまた然りである。１つのこのような支援は、ＬＴＥのための周波数間測定のあいだであり得る。例えば、ＵＥ７０２がサービングセル７０８に接続されたモードにあるときには、ＷＬＡＮ無線機７０６は、サービングセルの周波数とは別の周波数におけるＬＴＥのためのセルサーチおよびセル測定を支援し得る。例えば、ＵＥ７０２は、サービングセルの信号強度が所定のしきい値と比べて弱くなる場合にハンドオーバの可能性に関して近隣セルを監視することを必要とし得る。ネイバーセルが現在のサービング周波数とは異なる周波数にあるときには、ネイバーセルのサーチおよび測定は、周波数間セルサーチおよび測定である。「ターゲット」周波数間ネイバーセル７１０の搬送波周波数は、「ターゲット周波数」と称される。ターゲット周波数がサービングセル周波数から充分に離れているとき、ターゲット周波数における測定は、ＵＥ７０２がそのサービング周波数からチューンアウェイすることを要求する。ターゲット周波数が、サービング周波数と同じ周波数帯に属し得、あるいは異なる周波数帯に属し得ることに、留意すべきである。
【００４０】
[0056]ＷＷＡＮモデム７０４およびＷＬＡＮモデム７０６の両方を有するＵＥ７０２のベースライン動作において、ＷＬＡＮ無線機が、１つまたは複数のターゲット周波数において１つまたは複数のターゲットセル７１０を測定するために使用され得る一方で、ＷＷＡＮモデムが、サービング周波数においてサービングセル７０８を測定する。本明細書において使用されるとき、「サービングセル」７０８は、ＷＷＡＮモデム７０４が現時点において接続されている、すなわち無線接続を有しているセルである。サービングセル７０８は、サービング周波数にてＵＥ７０２のＷＷＡＮモデム７０４と通信する基地局を有する。「ターゲットセル」７１０と称される周波数間セルは、ＷＷＡＮモデム７０４をサービング周波数とは異なる周波数において周波数間測定を行うようにチューンアウェイする必要があるセルである。
【００４１】
[0057]ＵＥが１つの受信チェーンを有し、あるいはＵＥが複数の受信チェーンを有し、このすべてがサービングセルで動作するように構成されている場合、ＬＴＥモデム７０４自身による周波数間セルサーチおよび測定の実行が、ＵＥに、測定値を得るために他の周波数へとサービング周波数から、したがってサービングセルから、チューンアウェイすることを要求するので、ＷＬＡＮ無線機７０６からの支援が有益である。ＬＴＥモデム７０４は、測定ギャップと称される特定の時間のあいだ、チューンアウェイし得る。周波数間測定ギャップは、サービングｅＮＢによって設定され、ＵＥが周波数間セルサーチおよび測定のためにサービング周波数からチューンアウェイすることを可能にする。ＵＥは、これらの測定ギャップの間、いかなるＤＬパケットもスケジュールされず、したがってサービングセル７０８からいかなるデータも受信しない。同様に、ＵＥは、これらの測定ギャップの間、サービングセル７０８へとＵＬパケットを送信することができない。これは、ＵＥがいかなる測定ギャップもスケジュールされていない場合と対照的に、ＤＬおよびＵＬのスループットの損失をまねく。
【００４２】
[0058]ＷＬＡＮモデム７０６を使用して周波数間測定を支援することで、測定ギャップが回避され、より高いスループットおよびより良好なユーザエクスペリエンスがもたらされる。ＷＬＡＮモデム７０６は、ＷＷＡＮモデム７０４が接続されたモードである間、アイドルモードであり得る。したがって、ＷＬＡＮモデム７０６は、周波数間ＷＷＡＮ測定を支援するために利用可能である。たとえＷＬＡＮモデム７０６が接続されたモードにあるときでも、ＷＬＡＮモデム７０６は、必要であればＷＷＡＮ周波数間測定のためにＷＬＡＮのＴｘ／Ｒｘにギャップを作り出すことができる。
【００４３】
[0059]とくには周波数間ネイバーセルサーチを含む、ＬＴＥにおけるセルサーチは、プライマリ同期信号（ＰＳＳ）およびセカンダリ同期信号（ＳＳＳ）の検出を伴う。一般に、セルサーチの実行は、ＰＳＳ／ＳＳＳ検出のための約５．１ｍｓのサンプルをキャプチャするために、６ｍｓの測定ギャップ長に頼る。余分の０．９ｍｓは、モデムが次の周波数へとチューンアウェイし、次いで信号のキャプチャ後にもとの周波数へとチューンバックするために必要とされる。６ｍｓのギャップは、測定ギャップのパターンに応じて、４０ｍｓまたは８０ｍｓ毎に生じ得る。
【００４４】
[0060]したがって、このような検出は、無線フレームの５．１ｍｓの継続時間にわたって一度に信号サンプルを収集することができるモデムを必要とする。ＷＷＡＮモデムは、一度に必要な数の連続したサンプルを収集することができる。しかしながら、ＷＬＡＮモデムは、一度にそれらのサンプルのすべてを収集することができないことがある。例えば、バッファの制約および明白なトリガリングの必要性ゆえに、ＷＬＡＮモデムは、５．１ｍｓのサンプルを一気に収集することができない。
【００４５】
[0061]ＷＬＡＮモデムは、セルサーチのための信号サンプルを収集するために複数回のキャプチャを行わなければならない場合がある。例えば、５７．６ＭＨｚのアナログ−デジタル（ＡＤＣ）サンプリングレートにあり、８Ｋのサンプルバッファならびにキャプチャ間のギャップを生じさせる７．５６μｓのハードウェアおよびソフトウェアトリガリング遅延を有するＷＬＡＮモデム設定においては、５．１ｍｓをキャプチャするために、３５回のキャプチャがこれらのキャプチャ間の３４のギャップとともに必要である。このように、ＷＬＡＮモデムでは、キャプチャされたデータの多数のインスタンスが後続のギャップとともに存在する。これまでのところ、これらのギャップにおいて失われたデータを回復するために利用することができる技術は、存在しない。したがって、性能の損失ならびに誤検出およびフォールスアラームが存在する。
【００４６】
[0062]下記の表が、５．１ｍｓにおいて必要とされるキャプチャの必要な回数を、ＡＤＣサンプルレートの変化の関数として示している。ＡＤＣサンプリングレートは、ＬＴＥモデムに適用され得るレートに対応している。
【表１】
0006302090.tif 000002
【００４７】
[0078]ＡＤＣサンプリングレートが低くなるにつれて、必要とされるギャップの数は少なくなる。しかしながら、サンプリングレートを低くすることは、欠点を有する。例えば、サンプリングレートを低くすると、ジャマーおよび信号対雑音比（ＳＮＲ）に役立つデジタルサンプルについて行うことができるフィルタ処理の量が制限される。１つの他の欠点は、周波数オフセットに起因する補正などのデジタルドメインにおいて行われる必要がある補正を、まったく行えないか、あるいは粗くしか行うことができない点にある。サンプリングレートが低くなり、対応してギャップが小さくなったとしても、ギャップは依然として存在する。したがって、性能の喪失、誤検出、およびフォールスアラームは、依然として存在する。
【００４８】
[0079]本明細書において、第１のＲＡＴによってサポートされた第１の通信ネットワークによって送信される関心信号を第２のＲＡＴのモデムを使用してキャプチャするための技術が開示される。第１の通信ネットワークは、ＬＴＥネットワークであり得、関心信号は、セルサーチのためのＰＳＳおよびＳＳＳ信号であり得る。第２のＲＡＴは、Ｗｉ−ＦｉなどのＷＬＡＮをサポートし得、この場合には、ＷＬＡＮモデムが、関心信号のキャプチャに使用される。ＷＬＡＮモデムハードウェアは、また、Ｂｌｕｅｔｏｏｔｈ（登録商標）などの他の通信技術をサポートするためにも使用され得る。このような場合、測定は、ＬＴＥ測定のためのＷＬＡＮモデムの使用がＷＬＡＮ通信またはＢｌｕｅｔｏｏｔｈ通信のいずれかと干渉しないことを保証するように行われるべきである。
【００４９】
[0080]関心信号は、典型的には、通信ネットワークによって周期的に送信される。例えば、ＰＳＳ信号は、５ｍｓの周期で周期的に送信される。ＳＳＳ信号は、２つの５ｍｓの位相を有し、したがって１０ｍｓの周期で周期的に送信される。ギャップのないＰＳＳおよびＳＳＳ信号の回復の１つの技術において、サブフレーム未満の継続時間についてのキャプチャが、５ｍｓの総キャプチャ長さが得られるまで、いくつかの無線フレームにわたって周期的に繰り返される。次いで、キャプチャが、例えば連結（concatenation）によって組み合わせられ、５ｍｓの連続的なデータが形成される。このやり方で、完全なＰＳＳおよびＳＳＳを含む５ｍｓのキャプチャを有することが保証される。
【００５０】
[0081]図８は、時間ドメインにおけるＬＴＥの無線通信フレーム構造の図８００である。各々の無線フレーム８０２は、１０ｍｓの長さであり、１０個のサブフレーム８０４を含む。例えばＰＳＳ８０６およびＳＳＳ８０８、８１０などの特定の関心信号が、すべての無線フレーム８０２において送信され、同じ場所および同じ時間において生じる。例えば、ＰＳＳは、サブフレーム０の或るポイントにおいて生じ、サブフレーム５において５ｍｓ後の同じポイントにおいて再び生じる。ＰＳＳは、次の無線フレームにおいて同じ時間に生じる。ＳＳＳの第１の位相が、サブフレーム０の或るポイントにおいて生じる一方で、ＳＳＳの第２の位相は、サブフレーム５において５ｍｓ後に生じる。ＳＳＳの第１の位相およびＳＳＳの第２の位相は、次の無線フレームにおいて同じそれぞれのポイントにおいて生じる。
【００５１】
[0082]以上の技術により、図８をさらに参照すると、ある量の信号サンプル（「データ」とも称される）が、時間ｔ０において始まってキャプチャ長さＴＣにわたって続く第１のキャプチャインスタンスの間、キャプチャされる。キャプチャ長さは、ハーフフレーム（例えば、５ｍｓ）よりも実質的に短く、サブフレーム（例えば、１ｍｓ）よりも短い。上記の表１に示したとおり、キャプチャ長さＴＣは、サンプリングレートの関数であり、１３９マイクロ秒（μｓ）〜１６００μｓの範囲であり得る。時間ｔ０は、キャプチャが開始される任意の時間である。図８に示されるとおり、この第１のデータキャプチャインスタンスの間、ＰＳＳおよびＳＳＳに対応するサンプルがキャプチャされる。しかしながら、これは、キャプチャされるデータが通信フレーム８０２内の信号の位置に対する開始時間ｔ０の位置に依存するため、必ずしもこのようになるわけではない。
【００５２】
[0083]上述のキャプチャが、さらなる通信フレーム８０２について繰り返され、追加のキャプチャインスタンスが得られる。しかしながら、追加のキャプチャは、最初の通信フレームのキャプチャ時間からオフセットされた時間において生じる。オフセット時間は、通信フレームの長さおよびキャプチャ長さＴＣに基づき得る。図８の例において、オフセット時間は、キャプチャ長さＴＣに通信フレームの長さを加えたものに等しく、それは、１０ｍｓである。したがって、このオフセットされた時間において、ある量の信号サンプルが、やはりキャプチャ長さＴＣを有する第２のキャプチャ期間にわたってキャプチャされる。図８に示されるとおり、このキャプチャ継続時間の間、ＰＳＳおよびＳＳＳ以外のデータがキャプチャされる。次に、キャプチャの継続時間ＴＣに１０ｍｓを加えたものの２倍に等しいオフセット時間において始まって、別の量の信号サンプルが、キャプチャ長さＴＣを有する第３のキャプチャ期間の間キャプチャされる。図８に示されるとおり、このキャプチャの継続時間の間、ＰＳＳおよびＳＳＳ以外のデータがキャプチャされる。
【００５３】
[0084]時間ＴＣの期間にわたってデータをキャプチャするプロセスは、合計で５．１ｍｓのデータがキャプチャされるまで繰り返される。これらのキャプチャインスタンスの間にキャプチャされたサンプルは、５．１ｍｓの連続データを形成するように連結される。５．１ｍｓの連続データがキャプチャされるので、これらのデータは、開始時間ｔ０にかかわらずに完全なＰＳＳおよびＳＳＳ（位相１または位相２のいずれか）を有するように保証される。したがって、それらはあたかもワンショットで受信されたかのように取り扱うことが可能である。
【００５４】
[0085]データは、データ内のＰＳＳおよびＳＳＳの位置を決定するために、例えば相関器などのプロセッサへと供給され得る。次いで、ＰＳＳおよびＳＳＳが、セルサーチおよび測定のために使用される。以上の技術によれば、５．１ｍｓの連続データにギャップが存在しない。欠点は、１０ｍｓの周期に起因するレイテンシである。この技術は、高い性能が必要であり、キャプチャされる信号においてギャップを許容することができない場合に、より好適であり得る。また、別の適切な事例は、ＷＬＡＮモデムが、ＷＬＡＮアプリケーションのために働いているかもしれないがために自身のリソースの５ｍｓのチャンクを一度に割くことはできないが、ＬＴＥタスクを行うために時間のより短いチャンクを周期的に与えることができる場合である。
【００５５】
[0086]適応型の測定ギャップ長さおよび適応型の測定ギャップ反復周期が、可能であり得る。いくつかの状況において、ＷＬＡＮモデムは、図８に関して上述したキャプチャ長さよりも長い継続時間にわたってＬＴＥ測定のために利用可能であり得、それは、１サブフレームよりも短い。例えば、例えばＷｉ−ＦｉなどのＷＬＡＮ通信およびＢｌｕｅｔｏｏｔｈ通信の両方のために働くように機能するＷＬＡＮモデムが、１サブフレームよりも長い継続時間にわたってＬＴＥ測定のために利用可能であり得る。例えば、あるタイプのＢｌｕｅｔｏｏｔｈ通信フレーム構造において、最大約１．５ｍｓのキャプチャ継続時間が利用可能であり得る一方で、別のＢｌｕｅｔｏｏｔｈ通信フレーム構造においては、最大約２．８ｍｓのキャプチャ継続時間が利用可能であり得る。しかしながら、ＬＴＥ測定にこのようなＷＬＡＮモデムを使用する技術は、ＬＴＥの性能に影響を及ぼしてはならず、Ｂｌｕｅｔｏｏｔｈのトラフィックと干渉してはならない。これは、ＷＬＡＮおよびＢｌｕｅｔｏｏｔｈが独立した周波数合成器を有していないモデムにとくに関係がある。
【００５６】
[0087]図９は、どちらも時間の関数として第１のタイプのＢｌｕｅｔｏｏｔｈ通信ウインドウ９０２およびＬＴＥ通信フレーム９０４を示す図９００である。図示のＢｌｕｅｔｏｏｔｈ通信ウインドウは、音声データのためのエンハンスド同期接続指向（ｅＳＣＯ：enhanced synchronous connection-oriented）プロトコルによる通信を促進する構成である。Ｂｌｕｅｔｏｏｔｈ通信ウインドウは、ｅＳＣＯウインドウと称され得る。
【００５７】
[0088]各々のｅＳＣＯウインドウ９０２は、６つのＢｌｕｅｔｏｏｔｈスロット９０６を含む。各々のスロットの継続時間は、６２５μｓである。第１のスロットが、マスタからスレーブへの送信のためのものである一方で、第２のスロットは、スレーブからマスタへの送信のためのものである。第１のスロットおよび第２のスロットが、ｅＳＣＯインスタントを形成する。第２のスロットの後の４つのスロットは、辿り着かなかったパケットの再送信のために予約されている。これら４つのスロットは、ＲｅＴｘウインドウを形成する。
【００５８】
[0089]本明細書に開示の技術によれば、第１のＲＡＴに従って送信されたデータのいくつかのサンプルが、いくつかのｅＳＣＯウインドウの部分において第２のＲＡＴの受信チェーンによってキャプチャされる。キャプチャが生じる部分は、キャプチャ長さＴＣと称され得る。各々のキャプチャ長さＴＣの間にキャプチャされたデータが組み合わされて、関心信号を得るための連続的なデータの継続時間を形成する。
【００５９】
[0090]より具体的には、第１のｅＳＣＯウインドウ９１０の第１のＲｅＴｘウインドウ９０８において、第２の受信チェーンは、Ｂｌｕｅｔｏｏｔｈの再送信を差し控え（foregoes）、代わりにＬＴＥ周波数へとチューンアウェイし、ＬＴＥデータをキャプチャする。この場合、ＲｅＴｘウインドウは、測定ギャップと考えられ得る。ＲｅＴｘウインドウの継続時間は、約２．５ｍｓである。測定ギャップの前端における第２の受信チェーンによるチューンアウェイのための０．４５ｍｓ、および測定ギャップの後端におけるチューンバックのための０．４５ｍｓに鑑み、キャプチャインスタンス９１２、すなわちデータサンプルの有効継続時間またはキャプチャ長さＴＣは、約１．５ｍｓである。
【００６０】
[0091]以上のキャプチャが、さらなるキャプチャインスタンスを得るために、１つまたは複数のさらなるｅＳＣＯウインドウ９１４および対応するＲｅＴｘウインドウ９１６について繰り返される。追加のキャプチャは、各々のＲｅＴｘウインドウ内のほぼ同じ時間において同じ継続時間にわたって生じるが、ＬＴＥ通信フレーム９０４に関しては、キャプチャは、最初のＬＴＥ通信フレームのキャプチャ時間からオフセットされた時間において生じる。例えば、図９において、第２のサンプルキャプチャは、時間Ｔ３において始まり、それは、時間Ｔ１における第１のサンプルキャプチャの開始後約１２ｍｓである。オフセットされた時間Ｔ３において、ある量の信号サンプルが、やはりキャプチャ長さＴＣを有する第２のキャプチャ期間にわたってキャプチャされる。時間ＴＣの期間にわたってデータをキャプチャするプロセスは、合計で５．１ｍｓのデータがキャプチャされるまで繰り返される。
【００６１】
[0092]図１０は、５．１ｍｓのデータサンプルをキャプチャするのに充分なＢｌｕｅｔｏｏｔｈ通信ウインドウ１００２の図１０００である。各々の通信ウインドウ１００２は、ギャップウインドウまたはギャップなしウインドウのいずれかとして設計されている。ギャップウインドウは、ｅＳＣＯウインドウのＲｅＴｘウインドウの間にＬＴＥデータサンプルがキャプチャされたｅＳＣＯウインドウに対応する。ギャップなしウインドウは、ｅＳＣＯウインドウのＲｅＴｘウインドウの間にＬＴＥデータサンプルがキャプチャされなかったｅＳＣＯウインドウに対応する。
【００６２】
[0093]図１０から、連続的なＬＴＥデータの約５．１ｍｓのサンプルを形成するために充分な数（例えば、４つ）のＬＴＥデータサンプルをキャプチャするために、約３７．５ｍｓである６０個のＢｌｕｅｔｏｏｔｈスロットを要することに、留意すべきである。また、サンプルキャプチャの終わりと次のサンプルキャプチャの開始との間の時間が、１６個のＢｌｕｅｔｏｏｔｈスロットであり、それは、ほぼ１０ｍｓのＬＴＥ無線通信フレームの継続時間であることにも、留意すべきである。
【００６３】
[0094]これらのキャプチャインスタンスの間にキャプチャされたサンプルは、５．１ｍｓの連続データを形成するように連結される。５．１ｍｓの連続データがキャプチャされるため、これらのデータは、完全なＰＳＳおよびＳＳＳ（位相１または位相２のいずれか）を有するように保証される。データは、データにおけるＰＳＳおよびＳＳＳの位置を決定するために、例えば相関器などのプロセッサへと供給され得る。次いで、ＰＳＳおよびＳＳＳが、セルサーチおよび測定のために使用される。以上の技術によれば、５．１ｍｓの連続データにはギャップが存在しない。
【００６４】
[0095]図１１は、どちらも時間の関数として第２のタイプのＢｌｕｅｔｏｏｔｈ通信ウインドウ１１０２およびＬＴＥ通信フレーム１１０４を示す図１１００である。図示のＢｌｕｅｔｏｏｔｈ通信ウインドウは、音声データのためのエンハンスド同期接続指向（ｅＳＣＯ）プロトコルによる通信を促進する。Ｂｌｕｅｔｏｏｔｈ通信ウインドウは、ｅＳＣＯウインドウと称され得る。
【００６５】
[0096]この構成において、各々のｅＳＣＯウインドウ１１０２は、１２個のＢｌｕｅｔｏｏｔｈスロット１１０６を含む。各々のスロットの継続時間は、６２５μｓである。第１のスロットが、マスタからスレーブへの送信のためのものである一方で、第２のスロットは、スレーブからマスタへの送信のためのものである。第１のスロットおよび第２のスロットが、ｅＳＣＯインスタントを形成する。第２のスロットの後の４つのスロットは、辿り着かなかったパケットの再送信のために予約されている。これら４つのスロットは、ＲｅＴｘウインドウを形成する。続く６つのスロットは、ＬＴＥ測定に利用可能であり得、本明細書においては測定ウインドウと称される。
【００６６】
[0097]本明細書に開示の技術によれば、第１のＲＡＴに従って送信されたデータのいくつかのサンプルが、いくつかのｅＳＣＯウインドウの部分において第２のＲＡＴの受信チェーンによってキャプチャされる。キャプチャが生じる部分は、キャプチャ長さＴＣと称され得る。各々のキャプチャ長さＴＣの間にキャプチャされたデータが組み合わされて、関心信号を得るための連続的なデータの継続時間を形成する。
【００６７】
[0098]より具体的には、第１のｅＳＣＯウインドウ１１１０の第１の測定ウインドウ１１０８の間、第２の受信チェーンは、ＬＴＥ周波数へとチューンアウェイし、ＬＴＥデータをキャプチャする。ＲｅＴｘウインドウの継続時間は、約３．７５ｍｓである。測定ギャップの前端における第２の受信チェーンによるチューンアウェイのための０．４５ｍｓ、およびギャップの後端におけるチューンバックのための０．４５ｍｓに鑑み、キャプチャインスタンス１１１２、すなわちデータサンプルの有効継続時間またはキャプチャ長さＴＣは、約２．８ｍｓである。これは、図９に示したＢｌｕｅｔｏｏｔｈ通信ウインドウの第１の設定を用いて利用することができる１．５ｍｓというキャプチャ長さの約２倍の大きさである。
【００６８】
[0099]以上のキャプチャが、さらなるキャプチャインスタンスを得るために、１つのさらなるｅＳＣＯウインドウ１１１４および対応する測定ウインドウ１１１６について繰り返される。追加のキャプチャは、各々の測定ウインドウ内のほぼ同じ時間において同じ継続時間にわたって生じるが、ＬＴＥ通信フレーム１１０４に関しては、キャプチャは、最初のＬＴＥ通信フレームのキャプチャ時間からオフセットされた時間において生じる。例えば、図１１において、第２のサンプルキャプチャは、時間Ｔ３において始まり、それは、時間Ｔ１における第１のサンプルキャプチャの開始後約７．５ｍｓである。オフセットされた時間Ｔ３において、ある量の信号サンプルが、やはりキャプチャ長さＴＣを有する第２のキャプチャ期間にわたってキャプチャされる。
【００６９】
[0100]これらのキャプチャインスタンス中にキャプチャされた２つのサンプルは、５．１ｍｓの連続データを形成するように連結される。キャプチャのこのパターンが、５つのｅＳＣＯウインドウ毎に繰り返され得る。５．１ｍｓの連続データがキャプチャされるので、これらのデータは、完全なＰＳＳおよびＳＳＳ（位相１または位相２のいずれか）を有するように保証される。データは、データ内のＰＳＳおよびＳＳＳの位置を決定するために、例えば相関器などのプロセッサへと供給され得る。次いで、ＰＳＳおよびＳＳＳが、セルサーチおよび測定のために使用される。以上の技術によれば、５．１ｍｓの連続データ中にギャップが存在しない。
【００７０】
[0101]図１２は、複数の通信フレームの各々の間にＷＷＡＮによって送信される関心信号をキャプチャする方法のフローチャート１２００である。この方法は、ＵＥによって実行され得る。ステップ１２０２において、ＵＥは、関心信号の送信の周期よりも短い継続時間に対応するキャプチャ長さにわたってＷＷＡＮによって送信されたデータをキャプチャする。各々のキャプチャは、それぞれの通信フレームにおいて、他の通信フレームとは異なるポイントにおいて生じ、キャプチャは、ＷＬＡＮ受信チェーンにて行われる。ＵＥは、複数の通信フレームの各々についてデータをキャプチャする。
【００７１】
[0102]図８に示されるとおり、各々のデータキャプチャは、それぞれのキャプチャ時間において開始し得る。連続するキャプチャ時間とキャプチャ時間との間の時間は、キャプチャ周期を定義し、キャプチャ周期は、複数のデータキャプチャの間で変化する。図８に示されているような実施形態においては、キャプチャ周期が、各々のデータキャプチャごとに増加する。
【００７２】
[0103]一実装形態においては、関心信号の送信の周期が、ハーフフレームであり、キャプチャ長さが、１サブフレームよりも短い。この実装形態の例が、キャプチャ長さＴＣが１サブフレームよりも短い図８に示されている。他の実装形態においては、関心信号の送信の周期が、ハーフフレームであり、キャプチャ長さが、１サブフレーム〜３サブフレームの間である。このような実装形態の例が、キャプチャ長さ（例えば、サンプル９１２）が約１．５ｍｓである図９およびキャプチャ長さ（例えば、サンプル１１１２）が約２．８ｍｓである図１１に示されている。
【００７３】
[0104]ＷＬＡＮ受信チェーンは、通信フレームと時間において少なくとも部分的に重なる繰り返しの通信ウインドウを引き起こすワイヤレス技術標準による通信をサポートするモデムに含まれ得る。通信ウインドウは、対応する測定ギャップを有する。この場合、ＵＥは、それぞれの測定ギャップ中にデータをキャプチャする。例えば、ワイヤレス技術標準は、Ｂｌｕｅｔｏｏｔｈであり得、この場合には、測定ギャップは、各々が約６２５μＳの長さである、いくつかのＢｌｕｅｔｏｏｔｈスロットに対応する。例えば、図９を参照すると、測定ギャップは、４つのＢｌｕｅｔｏｏｔｈスロットに対応し、図１１では、測定ギャップは、６つのＢｌｕｅｔｏｏｔｈスロットに対応する。
【００７４】
[0105]ステップ１２０４において、ＵＥは、複数のデータキャプチャを処理し、関心信号の送信の周期よりも長い継続時間に対応する等価の連続データを形成する。複数のデータキャプチャは、連続データを形成するためにデータキャプチャを連結することによって処理され得る。
【００７５】
[0106]ステップ１２０６において、ＵＥは、連続データにおいて関心信号を検出する。関心信号は、ＰＳＳ、位相１のＳＳＳ、および位相２のＳＳＳのうちの少なくとも１つであり得る。
【００７６】
[0107]図１３は、例示的な装置１３０２における種々のモジュール／手段／コンポーネント間のデータの流れを説明する概念的なデータフロー図１３００である。装置１３０２は、ＵＥであり得る。装置１３０２は、キャプチャリングモジュール１３０４、処理モジュール１３０６、および検出モジュール１３０８を含む。
【００７７】
[0108]キャプチャリングモジュール１３０４は、複数の通信フレームの各々に関してＷＷＡＮによって送信されるデータをキャプチャする。データは、関心信号の送信の周期よりも短い継続時間に対応するキャプチャ長さにわたってキャプチャされる。各々のキャプチャは、それぞれの通信フレームにおいて、他の通信フレームとは異なるポイントにおいて生じ、キャプチャは、ＷＬＡＮ受信チェーンにより行われる。
【００７８】
[0109]処理モジュール１３０６は、複数のデータキャプチャを処理し、送信の周期よりも長い継続時間に対応する等価の連続データを形成する。検出モジュール１３０８は、連続データにおいて関心信号を検出する。
【００７９】
[0110]装置は、図１２の上述のフローチャートにおけるアルゴリズムの各ステップを実行する追加のモジュールを含み得る。したがって、図１２の上述のフローチャートの各ステップは、モジュールによって実行され得、装置は、それらのモジュールのうちの１つまたは複数を含み得る。モジュールは、上述のプロセス／アルゴリズムを実行するようにとくに構成された１つまたは複数のハードウェアコンポーネントであり得、上述のプロセス／アルゴリズムを実行するように構成されたプロセッサによって実現され得、プロセッサによる実行のためにコンピュータ可読媒体内に記憶され得、あるいはこれらの何らかの組み合わせであり得る。
【００８０】
[0111]図１４は、処理システム１４１４を用いる装置１４０２’のハードウェアの実装形態の例を示す図１４００である。処理システム１４１４は、広くバス１４２４によって表されるバスアーキテクチャによって実現され得る。バス１４２４は、処理システム１４１４の個々の用途および全体としての設計の制約事項に応じて、任意の数の相互接続バスおよびブリッジを含み得る。バス１４２４は、プロセッサ１４０４、モジュール１３０４、１３０６、１３０８、およびコンピュータ可読媒体／メモリ１４０６によって代表される１つまたは複数のプロセッサおよび／またはハードウェアモジュールを含む種々の回路を互いに接続する。バス１４２４は、また、タイミングソース、周辺機器、電圧調整装置、および電力管理回路など、種々の他の回路も接続し得、それらは、技術的に周知であるのでこれ以上は説明しない。
【００８１】
[0112]処理システム１４１４は、ＷＬＡＮトランシーバ１４１０へと接続され得る。ＷＬＡＮトランシーバ１４１０は、１つまたは複数のアンテナ１４２０へと接続される。ＷＬＡＮトランシーバ１４１０は、送信媒体を介して種々の他の装置と通信するための手段を提供する。トランシーバ１４１０は、１つまたは複数のアンテナ１４２０から、例えばＷＷＡＮ信号などの信号を受信し、受信した信号から情報を抽出し、抽出した情報を処理システム１４１４へと提供する。加えて、ＷＬＡＮトランシーバ１４１０は、処理システム１４１４から情報を受け取り、受け取った情報に基づいて、１つまたは複数のアンテナ１４２０へと適用されるべき信号を生成する。
【００８２】
[0113]処理システム１４１４は、コンピュータ可読媒体／メモリ１４０６へと接続されたプロセッサ１４０４を含む。プロセッサ１４０４は、コンピュータ可読媒体／メモリ１４０６に記憶されたソフトウェアの実行を含む一般的な処理を担当する。ソフトウェアは、プロセッサ１４０４によって実行されたときに、任意の特定の装置に関して上述した種々の機能を処理システム１４１４に実行させる。コンピュータ可読媒体／メモリ１４０６は、また、ソフトウェアの実行時にプロセッサ１４０４によって操作されるデータを記憶するためにも使用され得る。処理システムは、モジュール１３０４、１３０６、および１３０８のうちの少なくとも１つをさらに含む。モジュールは、コンピュータ可読の媒体／メモリ１４０６内に常駐する／記憶された、プロセッサ１４０４において動作するソフトウェアモジュール、プロセッサ１４０４へと接続された１つまたは複数のハードウェアモジュール、あるいはこれらの組み合わせであり得る。処理システム１４１４は、ＵＥ６５０のコンポーネントであり得、メモリ６６０、ならびに／あるいはＴＸプロセッサ６６８、ＲＸプロセッサ６５６、およびコントローラ／プロセッサ６５９のうちの少なくとも１つを含み得る。
【００８３】
[0114]１つの構成において、ワイヤレス通信のための装置１３０２／１３０２’は、複数の通信フレームの各々についてＷＷＡＮによって送信されるデータをキャプチャするための手段を含み、ここにおいて、データは、関心信号の送信の周期よりも短い継続時間に対応するキャプチャ長さにわたってキャプチャされ、各々のキャプチャは、それぞれの通信フレーム内の他の通信フレームとは異なるポイントにおいて生じ、キャプチャは、ＷＬＡＮ受信チェーンにより行われる。装置１３０２／１３０２’は、また、複数のデータキャプチャを処理し、送信の周期よりも長い継続時間に対応する等価の連続データを形成するための手段と、連続データにおいて関心信号を検出するための手段とを含む。
【００８４】
[0115]上述の手段は、上述の手段によって言及される機能を実行するように構成された装置１３０２および／または装置１３０２’の処理システム１３１４の上述のモジュールのうちの１つまたは複数であり得る。上述のように、処理システム１３１４は、ＴＸプロセッサ６６８、ＲＸプロセッサ６５６、およびコントローラ／プロセッサ６５９を含み得る。したがって、一構成において、上述の手段は、上述の手段によって言及された機能を実行するように構成されたＴＸプロセッサ６６８、ＲＸプロセッサ６５６、およびコントローラ／プロセッサ６５９であり得る。
【００８５】
[0116]上述の技術は、ＷＬＡＮ無線機の利用可能性が、関心信号をシングルショットでキャプチャするために充分なキャプチャ継続時間を可能にしない状況に当てはまる。例えば、上記の状況は、ＷＬＡＮモデムが５．１ｍｓのデータを一度にキャプチャすることを可能にしない。したがって、５．１ｍｓのデータを得るために、複数のキャプチャが時間をかけて行われ、蓄積される。いくつかの状況においては、ＷＬＡＮモデムが、シングルショットでの信号キャプチャを可能にするためにより長い時間期間にわたって利用可能であり得る。上述のように、ＬＴＥ周波数間セルサーチおよび測定支援の使用は、ＷＬＡＮ動作を中断させる。したがって、たとえＷＬＡＮ無線機がより長い時間期間にわたって利用可能であり得る場合でも、ＷＬＡＮ性能に悪影響を与えることがないように注意が払われなければならない。
【００８６】
[0117]ＷＬＡＮのみのトラフィックおよびＷＬＡＮ＋ＢＴのトラフィックのためのＷＬＡＮ受信チェーンによるＬＴＥ測定のための共存機構のための技術が、本明細書において開示される。このような共存がないと、ＷＬＡＮ無線機によるＬＴＥ測定がＷＬＡＮ動作に有害な影響を及ぼし、モビリティ性能の低下ならびにＷＬＡＮまたはＷＬＡＮ＋Ｂｌｕｅｔｏｏｔｈのサービス品質の低下につながり得る。Ｂｌｕｅｔｏｏｔｈのみのトラフィックは、ＷＬＡＮおよびＢｌｕｅｔｏｏｔｈが独立した周波数合成器を有するときには問題にならない場合があることに留意すべきである。
【００８７】
[0118]本明細書に開示のＷＬＡＮおよびＢｌｕｅｔｏｏｔｈトラフィックとのＷＬＡＮ受信チェーンを用いたＬＴＥ測定の共存のための技術は、ＬＴＥ測定の周期、精度、および他の規格の要件を満たし、ＷＬＡＮまたはＷＬＡＮ＋Ｂｌｕｅｔｏｏｔｈのサービス品質の低下が皆無または最小限であり、測定ギャップに起因するスループットの損失の回避ならびに迅速な周波数間セル検出およびオフロードを含むＷＬＡＮ受信チェーンによるＬＴＥ測定の完全な利益の実現を可能にする。さらに、この技術は、測定ギャップの必要性に関するＵＥ能力の動的な変化の必要性も回避する。換言すると、この技術の実装形態は、ＵＥ能力にかかわらずに、ＬＴＥ測定のためのＷＬＡＮモデムの利用可能性を提供する。
【００８８】
[0119]一般論として、ＷＷＡＮによって周期的に送信される関心信号をキャプチャするためのＷＬＡＮ無線機を使用するＬＴＥ測定の共存のためのプロセスは、測定ギャップに対応する時間期間についてＷＬＡＮ受信チェーンへのアクセスを周期的に獲得することを含む。アクセスは、実際のＷＬＡＮトラフィックと競合して獲得され得る。ひとたびＷＬＡＮ受信チェーンへのアクセスが獲得されると、関心信号が、ＷＬＡＮ受信チェーンを使用して測定ギャップ中にキャプチャされる。信号は、シングルショットでキャプチャされ得る。換言すると、測定ギャップ中のキャプチャの継続時間が、関心信号をキャプチャするために充分に長いものであり得る。プロセスは、獲得することおよびキャプチャすることを周期的に繰り返すことをさらに含み得る。
【００８９】
[0120]一技術においては、ＬＴＥデータが、通信フレームの測定ギャップの継続時間に基づくキャプチャ長さにおいてＷＬＡＮモデムによってキャプチャされる。キャプチャは、測定ギャップ反復周期に基づいて１つまたは複数の追加の通信フレームについて繰り返される。測定ギャップ反復周期は、連続する測定ギャップと測定ギャップとの間の間隔を定める。ＷＬＡＮモデムを使用して行われる測定は、いくつかのオプションを使用して追加のキャプチャのうちの１つまたは複数における測定ギャップ継続時間または測定ギャップ反復周期のうちの１つまたは複数を調節するようにスケジュールされ得る。
【００９０】
[0121]第１のオプションでは、ＬＴＥ測定は、ＬＴＥ測定ギャップパターンｉｄ＃０に基づいて行われ得る。このパターンにおいて、測定は、４０ｍｓ（測定ギャップ反復周期）毎に、６ｍｓの測定ギャップ継続時間において行われる。この場合、ＷＬＡＮ＋Ｂｌｕｅｔｏｏｔｈにおけるチャネル非利用可能性は、約１５％になる。
【００９１】
[0122]第２のオプションにおいては、Ｗｉ−ＦｉおよびＢｌｕｅｔｏｏｔｈとの干渉が存在しなければ、よりアグレッシブなギャップパターンが使用され得る。例えば、ＷＬＡＮモデムによる測定が、４０ｍｓ毎に６ｍｓプラス追加の時間にわたって行われ得、あるいは２０ｍｓ毎に６ｍｓにわたって行われ得る。追加の時間は、０．１〜０．５ｍｓの間であり得る。この場合、ＷＬＡＮ＋Ｂｌｕｅｔｏｏｔｈについてのチャネル非利用可能性は、１５％よりも大きい。
【００９２】
[0123]第３のオプションにおいては、測定ギャップ長さが６ｍｓに固定され得、測定ギャップ反復周期が適応性のあるものであり得る。例えば、反復周期は、第１の６ｍｓの測定ギャップが最初の４０ｍｓにおいて生じ、第２の６ｍｓの測定ギャップが次の３０ｍｓにおいて生じ、第３の６ｍｓの測定ギャップが次の５０ｍｓにおいて生じ、第４の６ｍｓの測定ギャップが次の４０ｍｓにおいて生じるように、測定ギャップ毎に減少し得る。以下の要件が満たされなければならない。４８０ｍｓの期間中の周波数間測定のための最小利用可能時間は、６０ｍｓである。セル検出、測定精度、などのための他の要件も当てはまる。
【００９３】
[0124]他のプロセスにおいては、ＬＴＥ測定に関する目的のためのＷＬＡＮ受信チェーンへのアクセスが、ＷＬＡＮのプロトコルまたは動作の特徴を使用して獲得され得る。これらのプロトコルまたは特徴は、競合するＷＬＡＮトラフィックに優先してＬＴＥ測定のためのＷＬＡＮ受信チェーンアクセスを許可するようにアクセスポイントを導き得る。
【００９４】
[0125]測定ギャップに対応する時間期間についてＷＬＡＮ受信チェーンへのアクセスを獲得する第１のプロセスにおいて、ＷＬＡＮ無線機によりＬＴＥ測定を行うための要件は、仮想ＷＬＡＮフロー／キューとして取り扱われる。それは、ＷＬＡＮモデムが送信すべきパケットを有さない一方で、ＬＴＥセルサーチおよび測定に使用されているため、仮想のキューである。フロー特性が、仮想のフローへと割り当てられるので、実際のＷＬＡＮのフローと競合することになる。フローの相対的な優先度に基づき、仮想のフローがＬＴＥ測定のためのＷＬＡＮ受信チェーンへのアクセスを獲得するか、あるいは実際のフローが例えば音声、ビデオなどの自身の目的のためにＷＬＡＮ受信チェーンへのアクセスを獲得する。
【００９５】
[0126]この機構は、局（例えば、ＵＥ）においてＷＬＡＮを通じたリアルタイムのトラフィックのフローが存在する場合でも使用され得る。例えば、特定の局がボイスオーバーＷｉ−Ｆｉまたはビデオストリーミングを使用しており、ＬＴＥ測定のために割り当てられた仮想のフローおよび適切なパラメータの割り当てにより、仮想のフローが他の局のＷＬＡＮ受信チェーンの使用を妨げないことが保証される。
【００９６】
[0127]ＷＬＡＮ受信チェーンによって得られるＬＴＥ測定は、自身のアクセスカテゴリ（ＡＣ）に関して自身のアービトレーションフレーム間間隔（ＡＩＦＳ）ならびにコンテンションウインドウ（ＣＷ）最大値およびＣＷ最小値、すなわちＣＷｍｉｎ、ＣＷｍａｘを有する仮想のフロー／キューとして取り扱われ得る。背景として、例えば音声、無線、などの異なるタイプのＷＬＡＮトラフィックは、異なるアクセスカテゴリを有する。この点に関し、トラフィックは、ＷＬＡＮによって送信されるべきトラフィックに対応する。アクセスカテゴリは、割り当てられたＡＩＦＳ、コンテンションウインドウ、およびＴＸＯＰに基づいて、アクセスの優先度およびアクセスの長さを決定する。典型的なアクセスカテゴリとして、以下が挙げられる。
【００９７】
ＡＣ（音声）：３［CWmin: 7, CWmax:15, AIFSN: 2］
ＡＣ（ビデオ）：２［CWmin: 15, CWmax:31, AIFSN: 2］
ＡＣ（バックグラウンド）：１［CWmin: 31, CWmax:1023, AIFSN: 3］
ＡＣ（ベストエフォート）：０［CWmin: 31, CWmax:1023, AIFSN: 7］
【００９８】
[0132]送信機会（ＴＸＯＰ）は、局が（送信の継続時間がＴＸＯＰの最大継続時間を超えて延びない限りにおいて）可能な限り多くのフレームを送信することができる区切られた時間インターバルである。ＣＷｍｉｎ、ＣＷｍａｘは、ＡＣに関連付けられたＷＬＡＮ受信チェーンがビジーであると感知したときにＷＬＡＮモデムがどれくらいバックオフすべきかを示す。より優先度の低いトラフィックは、より高い優先度のトラフィックと比べて、より長い時間にわたって待つことになる。ＴＸＯＰは、音声に関して約１．５ｍｓであり、ビデオに関して約３ｍｓである。一実装形態において、仮想のフローのためのＴＸＯＰは、ＬＴＥ測定のための５．１ｍｓをキャプチャするために充分な継続時間を得るために、６ｍｓに設定される。局内（intra-station）の他のキューは、これを、いかなるフレームもオーバージエアで送信されないが、ＬＴＥ測定の「仮想のフロー」のフローが６ｍｓのＴＸＯＰを使用しているかのように取り扱う。
【００９９】
[0133]例示的な実装形態において、局は、データの送信を望む１つのキューを有する。同時に、ＬＴＥ測定の「仮想のフロー」が、ＬＴＥ測定を実行するためにＷＬＡＮ受信チェーンの使用を望む。ひとたびＷＬＡＮ受信チェーンがアイドル状態であると感知されると、両方のキューが、それぞれのＡＩＦＳおよび計算されたバックオフ期間を待つ。一方がより小さいＡＩＦＳ（より高い優先度）を有し得るが、計算されたバックオフはより高いものであり得る。ＡＩＦＳおよびバックオフ期間がゼロへとカウントダウンされたキューが、最初に競合に勝つ。より低い優先度のキューは、コンテンションウインドウを倍にし、あたかも「物理的衝突」が生じたかのように新たなバックオフ期間を計算する。両方のキューが同時にゼロへとカウントダウンする場合、仮想の衝突が生じ、より高い優先度のキューが送信に取り掛かる一方で、より低い優先度のキューは、あたかも「物理的な」衝突が生じたかのように同じ手順に従う。
【０１００】
[0134]測定ギャップに対応する時間期間についてＷＬＡＮ受信チェーンへのアクセスを獲得する第２のプロセスにおいては、ＷＬＡＮモデムが例えばＬＴＥ信号などのＷＷＡＮ信号をキャプチャする一方で、局はパワー・セーブ・モードにある。この場合、ＬＴＥ測定を実行しようとする局は、自身のＷＬＡＮ無線機をＷＬＡＮの非活動の期間の後にパワー・セーブ・モードへと設定する。局がパワー・セーブ・モードにある間、アクセスポイントは、局が自身のトランシーバを電力の節約のためにパワーオフしたと考える。しかしながら、実際には、ＷＬＡＮモデムは、ＬＴＥ測定を実行している。非活動の期間の後に、局は、自身のためにバッファされたフレームをアクセスポイントが有しているか否かを調べるためにウェイクアップする。ＷＬＡＮ無線機によるウェイクアップの周期は、アクセスポイントとＷＬＡＮ無線機との間で合意される。局がアップリンクのトラフィックを有する場合、局は、パワー・セーブ・モードから出る。また、局は、自身のためにバッファされたダウンリンクデータがアクセスポイントに存在する場合、パワー・セーブ・モードから出る。この場合、アクセスポイントが局をウェイクアップさせる。
【０１０１】
[0135]測定ギャップに対応する時間期間についてＷＬＡＮ受信チェーンへのアクセスを獲得する第３のプロセスにおいては、パワー・セーブ・モードへの強化が実装される。１つのこのような強化においては、アンスケジュールド・オートマチック・パワー・セーブ・デリバリ（Ｕ−ＡＰＳＤ）が使用される。Ｕ−ＡＰＳＤは、８０２．１１に定められた電力節約への非同期の手法である。この手法は、次のビーコンフレームを待つのではなく、クライアントがキューに入れられたトラフィックを任意の時間に要求することを可能にする。別の強化においては、ＷＭＭパワーセーブ（ＷＭＭ−ＰＳ）が使用される。このモードは、Ｕ−ＡＰＳＤに基づくワイヤレスマルチメディア（ＷＭＭ）仕様からである。それは、しばしばＷｉ−Ｆｉハンドセットに実装される。別の強化においては、パワー・セーブ・マルチポール（ＰＳＭＰ）が使用される。これは、８０２．１１ｎにおいて指定されている。強化は、スケジュールドバージョンおよびアンスケジュールドバージョンのいずれかを使用し得る。強化されたパワー・セーブ・モードを使用すると、ＬＴＥ測定とリアルタイムトラフィックとの間の共存の可能性を許容する。
【０１０２】
[0136]測定ギャップに対応する時間期間についてＷＬＡＮ受信チェーンへのアクセスを獲得する第４のプロセスにおいては、既存の８０２．１１ｋフレームワークが、ＬＴＥ測定を実行する目的でＷＬＡＮ受信チェーンへのアクセスを獲得するために活用される。このフレームワークは、局が、局自身によって決定される特定の継続時間についてＬＴＥ測定を行うためにＷｉ−Ｆｉチャネルから非稼働中のＷｉ−Ｆｉチャネルへと移行するように自律的に決定することを可能にする。例えば、局がＷｉ−Ｆｉチャネル１にてアクセスポイントと通信している場合、局は、ＬＴＥ測定を行うためにＷｉ−Ｆｉチャネル２へと移行することができる。あるいは、局は、Ｗｉ−Ｆｉチャネル２へと移行するようにアクセスポイントまたは何らかの他の局によって求められ得る。ひとたび第２のＷｉ−Ｆｉチャネルにくると、局は、ＬＴＥ測定を行うためにＬＴＥ周波数へとチューンアウェイする。この提案において、測定局は、稼働チャネルにおけるアクセスポイントとのデータ通信を中断する。
【０１０３】
[0137]非稼働中のチャネルにおけるＬＴＥ測定の継続時間は、ビーコンインターバルに基づき得る。典型的なビーコンインターバルは、約１００ｍｓであり、それは、ＬＴＥ測定の実行に必要な約７２ｍｓを超える。局は、連続する非稼働チャネルの測定の間のインターバル時間を決定する。インターバル時間は、例えば４８０ｍｓ毎など、固定された長さであり得、あるいはアプリケーション特有の知識を使用して局によって決定され得る。非稼働のチャネルにおける測定の継続時間は、dot11RRMNonOperating-ChannelMaxMeasurementDurationによって定められる。
【０１０４】
[0138]この提案においては、継続時間は、複数の５．１ｍｓ分のサンプルをキャプチャするために充分である一方で、他の局は、ＷＬＡＮ受信チェーンの使用から妨げられない。しかしながら、チューンアウェイの継続時間ゆえに、この提案は、リアルタイムのトラフィックには適さないことがある。
【０１０５】
[0139]測定ギャップに対応する時間期間についてＷＬＡＮ受信チェーンへのアクセスを獲得する第５のプロセスにおいては、ネットワーク・アロケーション・ベクトル（ＮＡＶ）が、ＬＴＥ測定のためのＷＬＡＮ受信チェーンへのアクセスを提供するために設定される。８０２．１１における継続時間フィールドは、１６ビットである。したがって、メディアを蓄えておくことができる最大値は、６５，５３５マイクロ秒である。しかしながら、規格は、３２，７６７よりも大きいあらゆる値を無視するように明示的に述べている。したがって、認証された局のいずれも、この長さにわたってＷＬＡＮ受信チェーンをグラブ（grab）しない。しかしながら、いくつかの局は、６ｍｓに相当する継続時間を示し得る。
【０１０６】
[0140]ＷＬＡＮ受信チェーンへのアクセスは、ＮＡＶ設定に基づいて許可される。ＷＬＡＮ受信チェーンが使用されており、仮想キャリア感知機構がＮＡＶ≧６ｍｓを有するときに、ＬＴＥ測定がスケジュールされる場合、ＬＴＥ測定はスケジュールされる。ＮＡＶ＜６ｍｓの場合、６ｍｓのＬＴＥ測定は、ＬＴＥ測定の「仮想」キューの優先度がすべてのキューの中で最高である場合にスケジュールされ得る。このプロセスは、ＮＡＶを６ｍｓに設定し、したがって仮想キャリア感知機構は、ＬＴＥ測定が完了するまでＷＬＡＮ受信チェーンをアイドルと検出しない。別の設定においては、時間の期間、例えばｘｍｓが、ＬＴＥ測定のためにスケジュールされ、ここで、ｘ≦現在のＮＡＶ値＜６ｍｓである。
【０１０７】
[0141]測定ギャップに対応する時間期間についてＷＬＡＮ受信チェーンへのアクセスを獲得する別のプロセスにおいては、ソフトＡＰモードにおいて、局がクライアントおよびアクセスポイントの両方として機能する。この場合、局は、他のデバイスにインターネット接続を提供するためのバックホールとしてＷＷＡＮを使用し得る。これは、ＬＴＥ測定の間に局モードが利用可能でない、ＬＴＥ測定のために利用され得る。クライアントが、クライアントが局およびアクセスポイントモードの間で切り換わるソフトＡＰモードと同様に、局およびＬＴＥ測定モードの間で切り換わる。
【０１０８】
[0142]測定ギャップに対応する時間期間についてＷＬＡＮ受信チェーンへのアクセスの獲得について、上述のプロセスの組み合わせが可能である。例えば、アンテナ構成に関して、１ｘ１のアンテナ構成の場合、ＬＴＥ測定は、ただ１つの受信チェーンが共有されるので、ＷＬＡＮと共存しなければならない。ここで、第１のプロセス（仮想キュー）または第３のプロセス（ＷＭＭ−ＰＳを使用する）または第５のプロセス（他のクライアントによるＷＬＡＮ受信チェーンの使用に起因してＮＡＶ＞６ｍｓのときにＬＴＥ測定が行われる）あるいはこれらの任意の組み合わせを使用することが、推奨される。
【０１０９】
[0143]２ｘ２のアンテナ構成の場合、ＷＬＡＮがただ１つのアンテナを使用している場合、ＬＴＥ測定は、他方のアンテナを使用することができる。ＷＬＡＮへの影響は存在しない。ＷＬＡＮが２つのアンテナを使用している場合、一方のアンテナは、約１５％の時間について利用可能でない。ＷＬＡＮおよびＷＷＡＮモデムの間のハンドシェークの間、ＷＬＡＮがＬＴＥ測定のための能力を示す場合、ＬＴＥ測定は、保証されたサービス品質を有する。そうでなく、ＬＴＥ測定の要件が満たされない場合、ＷＬＡＮがＷＷＡＮモデムにこれを伝え、ＵＥが、周波数間測定のためのギャップの必要性に関してｅＮＢへと更新されたＥＵＴＲＡ能力を送信する。ハンドシェークが、新たなＲＲＣ接続が確立されているときに行われる。
【０１１０】
[0144]いくつかの場合、ＷＬＡＮおよびＢｌｕｅｔｏｏｔｈが、別々の受信チェーンおよび独立した周波数合成器を有するが、局所発振器は共有される。例えば、ＷＬＡＮのＴｘ／Ｒｘが５Ｇ帯にあり、ＢｌｕｅｔｏｏｔｈのＴｘ／Ｒｘが２．４Ｇ帯にある場合、両者は、たとえ１ｘ１のアンテナ構成であっても独立に動作することができる。ＬＴＥ測定がＷＬＡＮ受信チェーンを使用して得られ、ＬＴＥ測定が非ＩＳＭ帯にあるので、ＬＴＥ測定は、周波数の分離および独立した合成器ゆえに、Ｂｌｕｅｔｏｏｔｈに悪影響を及ぼすことなくＢｌｕｅｔｏｏｔｈの動作と同時に生じることができる。
【０１１１】
[0145]ＷＬＡＮとＢｌｕｅｔｏｏｔｈとの間の共存は、ＷＬＡＮおよびＢｌｕｅｔｏｏｔｈの使用後の残余のチャネル利用可能性が測定にとって充分でないことがあるとき、より難題となり得る。共存は、更新された調停（arbitration）手順を必要とする。例えば、非測定モードに関しては、ＷＬＡＮおよびＢｌｕｅｔｏｏｔｈのための既存の調停手順が適用され、測定モードに関しては、ＷＬＡＮ  Ｔｘ／Ｒｘがなく、Ｂｌｕｅｔｏｏｔｈ  ＴＸ／  Ｒｘは独立して生じ得る。ＢｌｕｅｔｏｏｔｈとＬＴＥ測定との間の最大限の重なりが、それらが互いに影響することなく生じることができるがゆえに望まれる一方で、１ｘ１のアンテナ構成に関して、ＷＬＡＮは、ＬＴＥ測定およびＢｌｕｅｔｏｏｔｈの両方によって影響される。
【０１１２】
[0146]図１５は、ＷＷＡＮによって周期的に送信される関心信号をキャプチャする方法のフローチャート１５００である。この方法は、ＵＥによって実行され得る。ステップ１５０２において、ＵＥは、測定ギャップに対応する時間期間についてＷＬＡＮ受信チェーンへのアクセスを獲得する。
【０１１３】
[0147]ステップ１５０４において、ＵＥは、ＷＬＡＮ受信チェーンを使用して測定ギャップ中に関心信号をキャプチャする。ステップ１５０６において、ＵＥは、オプションで、キャプチャの周期および測定ギャップのうちの１つまたは複数を調節する。次いで、この方法は、ステップ１５０２へと戻り、獲得が、そしてその後のキャプチャが、繰り返される。ステップ１５０８において、ＵＥは、１つまたは複数の測定ギャップ中にキャプチャされたデータにおいて関心信号を検出する。
【０１１４】
[0148]ＷＬＡＮ受信チェーンへのアクセスは、上述したいくつかのやり方のうちのいずれか１つにて獲得され得る。例えば、アクセスは、１）仮想フローを通じてＬＴＥ測定のためのＷＬＡＮ受信チェーンアクセスを要求すること、２）パワー・セーブ・モードに入ること、３）非稼働中のＷＬＡＮチャネルにチューニングすること、４）ネットワーク・アロケーション・ベクトル（ＮＡＶ）をしきい値またはしきい値よりも上に設定すること、あるいは５）ＷＬＡＮ受信チェーンがＷＬＡＮ動作を実行することを妨げられる測定モードに入ること、によって獲得され得る。
【０１１５】
[0149]図１６は、例示的な装置１６０２における種々のモジュール／手段／コンポーネント間のデータの流れを説明する概念的なデータフロー図１６００である。装置１６０２は、ＵＥであり得る。装置１６０２は、アクセスモジュール１６０４、キャプチャモジュール１６０６、オプションの調節モジュール１６０８、および検出モジュール１６１０を含む。
【０１１６】
[0150]アクセスモジュール１６０４は、測定ギャップに対応する時間期間についてＷＬＡＮ受信チェーンへのアクセスを獲得する。キャプチャモジュール１６０６は、ＷＬＡＮ受信チェーンを使用して測定ギャップ中に関心信号をキャプチャする。調節モジュール１６０８は、アクセスモジュール１６０４がＷＬＡＮ受信チェーンへのアクセスを再び獲得する前に、キャプチャの周期および測定ギャップのうちの１つまたは複数を調節し、キャプチャモジュールは、関心信号を再びキャプチャする。検出モジュール１６１０は、１つまたは複数の測定ギャップ中にキャプチャリングモジュール１６０６によってキャプチャされたデータにおいて関心信号を検出する。
【０１１７】
[0151]装置は、図１５の上述のフローチャートにおけるアルゴリズムの各ステップを実行する追加のモジュールを含み得る。したがって、図１５の上述のフローチャートの各ステップは、モジュールによって実行され得、装置は、それらのモジュールのうちの１つまたは複数を含み得る。モジュールは、上述のプロセス／アルゴリズムを実行するようにとくに構成された１つまたは複数のハードウェアコンポーネントであり得、上述のプロセス／アルゴリズムを実行するように構成されたプロセッサによって実現され得、プロセッサによる実行のためにコンピュータ可読の媒体内に記憶され得、あるいはこれらの何らかの組み合わせであり得る。
【０１１８】
[0152]図１７は、処理システム１７１４を用いる装置１６０２’のハードウェア実装の例を示す図１７００である。処理システム１７１４は、広くバス１７２４によって表されるバスアーキテクチャによって実現され得る。バス１７２４は、処理システム１７１４の具体的な用途および全体としての設計の制約事項に応じて、任意の数の相互接続バスおよびブリッジを含み得る。バス１７２４は、プロセッサ１７０４、モジュール１６０４、１６０６、１６０８、１６１０、およびコンピュータ可読の媒体／メモリ１７０６によって代表される１つまたは複数のプロセッサおよび／またはハードウェアモジュールを含む種々の回路を互いに接続する。バス１７２４は、タイミングソース、周辺機器、電圧調整装置、および電力管理回路など、種々の他の回路も接続し得、それは、技術的に周知であり、したがってこれ以上は説明されない。
【０１１９】
[0153]処理システム１７１４は、ＷＬＡＮトランシーバ１７１０へと接続され得る。ＷＬＡＮトランシーバ１７１０は、１つまたは複数のアンテナ１７２０へと接続される。ＷＬＡＮトランシーバ１７１０は、送信媒体を介して種々の他の装置と通信するための手段を提供する。ＷＬＡＮトランシーバ１７１０は、１つまたは複数のアンテナ１７２０から信号を受信し、受信した信号から情報を抽出し、抽出した情報を処理システム１７１４へともたらす。加えて、ＷＬＡＮトランシーバ１７１０は、処理システム１７１４から情報を受け取り、受け取った情報に基づいて、１つまたは複数のアンテナ１７２０へと加えられる信号を生成する。
【０１２０】
[0154]処理システム１７１４は、コンピュータ可読の媒体／メモリ１７０６へと接続されたプロセッサ１７０４を含む。プロセッサ１７０４は、コンピュータ可読の媒体／メモリ１７０６に保存されたソフトウェアの実行を含む全体的な処理を担当する。ソフトウェアは、プロセッサ１７０４によって実行されたときに、任意の特定の装置に関して上述した種々の機能を処理システム１７１４に実行させる。コンピュータ可読媒体／メモリ１７０６は、ソフトウェアの実行時にプロセッサ１７０４によって操作されるデータを記憶するためにも使用され得る。処理システムは、モジュール１６０４、１６０６、１６０８、および１６１０のうちの少なくとも１つをさらに含む。モジュールは、コンピュータ可読の媒体／メモリ１７０６に位置し／記憶され、プロセッサ１７０４において動作するソフトウェアモジュール、プロセッサ１６０４へと接続された１つまたは複数のハードウェアモジュール、あるいはこれらの組み合わせであり得る。処理システム１７１４は、ＵＥ６５０のコンポーネントであり得、メモリ６６０、ならびに／あるいはＴＸプロセッサ６６８、ＲＸプロセッサ６５６、およびコントローラ／プロセッサ６５９のうちの少なくとも１つを含み得る。
【０１２１】
[0155]一設定において、ワイヤレス通信のための装置１６０２／１６０２’は、測定ギャップに対応する時間期間にわたってＷＬＡＮ受信チェーンへのアクセスを獲得するための手段と、ＷＬＡＮ受信チェーンを使用して測定ギャップにおいて関心信号をキャプチャするための手段と、獲得することおよびキャプチャすることを周期的に繰り返すための手段と、１つまたは複数の測定ギャップにおいてキャプチャされたデータにおいて関心信号を検出するための手段とを含む。さらに、装置１６０２／１６０２’は、繰り返す間にキャプチャの周期および測定ギャップのうちの１つまたは複数を調節するための手段を含み得る。
【０１２２】
[0156]上述の手段は、上述の手段によって言及される機能を実行するように構成された装置１６０２および／または装置１６０２’の処理システム１７１４の上述のモジュールのうちの１つまたは複数であり得る。上述のように、処理システム１７１４は、ＴＸプロセッサ６６８、ＲＸプロセッサ６５６、およびコントローラ／プロセッサ６５９を含み得る。したがって、一構成において、上述の手段は、上述の手段によって言及された機能を実行するように構成されたＴＸプロセッサ６６８、ＲＸプロセッサ６５６、およびコントローラ／プロセッサ６５９であり得る。
【０１２３】
[0157]上記開示のプロセス／フローチャートにおける各ステップの特定の順序または階層は、典型的な手法の例示であると理解される。設計の優先事項に基づき、プロセス／フローチャートにおける各ステップの特定の順序または階層は、並べ替えられ得ると理解される。さらに、いくつかのステップは、組み合わせられ、あるいは省略され得る。添付の方法に関する請求項は、種々のステップの要素をサンプルの順序にて提示するものであり、提示された具体的な順序または階層への限定を意図するものではない。
【０１２４】
[0158]以上の説明は、本明細書に記載の種々の態様を当業者にとって実施可能にするために提示されている。これらの態様への種々の変更が、当業者にとって容易に明らかであると考えられ、本明細書に定められる包括的な原理は、他の態様にも適用され得る。したがって、特許請求の範囲は、本明細書に示した態様に限定されるようには意図されてはおらず、請求項の表現に矛盾しない最大限の範囲が与えられるべきであり、ここにおいて、或る要素への単数形での言及は、とくに指定されない限り「ただ１つ」を意味することを意図されておらず、むしろ「１つまたは複数」を意味することを意図している。用語「典型的」は、本明細書において、「例、事例、または例示として役立つ」を意味して用いられている。本明細書において「典型的」とされるいかなる態様も、必ずしも他の態様と比べて好ましい、または有利であると解釈されるべきではない。とくに述べられない限り、用語「いくつか」は、１つまたは複数を指す。「Ａ、Ｂ、またはＣの少なくとも１つ」、「Ａ、Ｂ、およびＣの少なくとも１つ」、ならびに「Ａ、Ｂ、Ｃ、またはこれらの任意の組み合わせ」などの組み合わせは、Ａ、Ｂ、および／またはＣの任意の組み合わせを含み、複数のＡ、複数のＢ、または複数のＣを含み得る。具体的には、「Ａ、Ｂ、またはＣの少なくとも１つ」、「Ａ、Ｂ、およびＣの少なくとも１つ」、ならびに「Ａ、Ｂ、Ｃ、またはこれらの任意の組み合わせ」などの組み合わせは、Ａだけ、Ｂだけ、Ｃだけ、ＡとＢ、ＡとＣ、ＢとＣ、またはＡとＢとＣであり得、あらゆるこのような組み合わせは、Ａ、Ｂ、またはＣの１つまたは複数の構成員を含み得る。本開示の各所において説明された種々の態様の要素について、当業者にとって公知であり、あるいは後に知られることになるすべての構造的および機能的な等価物は、ここでの言及によって本明細書に明示的に援用され、特許請求の範囲によって包含されるように意図される。さらに、本明細書に開示されたいずれのものも、このような開示が特許請求の範囲に明示的に記載されるか否かにかかわらず、公衆に開放されるようには意図されていない。請求項のいかなる要素も、その要素が「ための手段（means for）」という表現を使用して明示的に記載されない限り、ミーンズ・プラス・ファンクション（means plus function）として解釈されるべきではない。
以下に本願の出願当初の特許請求の範囲に記載された発明を付記する。
[Ｃ１]  ワイヤレス・ワイド・エリア・ネットワーク（ＷＷＡＮ）によって周期的に送信される関心信号をキャプチャする方法であって、
測定ギャップに対応する時間期間についてワイヤレス・ローカル・エリア・ネットワーク（ＷＬＡＮ）受信チェーンへのアクセスを獲得することと、
前記ＷＬＡＮ受信チェーンを使用して前記測定ギャップ中に前記関心信号をキャプチャすることと、
前記獲得することおよび前記キャプチャすることを周期的に繰り返すことと、
を備える方法。
[Ｃ２]  前記繰り返すことの間、前記キャプチャの周期および前記測定ギャップのうちの１つまたは複数を調節すること、
をさらに備える、Ｃ１に記載の方法。
[Ｃ３]  前記ＷＬＡＮ受信チェーンへのアクセスを獲得することが、仮想フローを通じてＬＴＥ測定のためのＷＬＡＮ受信チェーンアクセスを要求することを備える、Ｃ１に記載の方法。
[Ｃ４]  前記ＷＬＡＮ受信チェーンへのアクセスを獲得することが、パワー・セーブ・モードに入ることを備える、Ｃ１に記載の方法。
[Ｃ５]  前記パワー・セーブ・モードは、アンスケジュールド・オートマチック・パワー・セーブ・デリバリ（Ｕ−ＡＰＳＤ）、ワイヤレス・マルチメディア・パワー・セーブ（ＷＭＭ−ＰＳ）、およびセーブマルチポール（ＰＳＭＰ）のうちの１つまたは複数を備える、Ｃ４に記載の方法。
[Ｃ６]  前記ＷＬＡＮ受信チェーンへのアクセスを獲得することが、非稼働中のＷＬＡＮチャネルにチューニングすることを備える、Ｃ１に記載の方法。
[Ｃ７]  前記ＷＬＡＮ受信チェーンへのアクセスを獲得することが、ネットワーク・アロケーション・ベクトル（ＮＡＶ）をしきい値またはしきい値よりも上に設定することを備える、Ｃ１に記載の方法。
[Ｃ８]  前記ＷＷＡＮネットワークのバックホールへのアクセスを獲得することと、
前記バックホールを通じて前記関心信号をキャプチャすることと、
をさらに備える、Ｃ１に記載の方法。
[Ｃ９]  前記ＷＬＡＮ受信チェーンへのアクセスを獲得することが、前記ＷＬＡＮ受信チェーンがＷＬＡＮ動作を実行することを妨げられる測定モードに入ることを備える、Ｃ１に記載の方法。
[Ｃ１０]  ワイヤレス・ワイド・エリア・ネットワーク（ＷＷＡＮ）によって周期的に送信される関心信号をキャプチャするための装置であって、
測定ギャップに対応する時間期間についてワイヤレス・ローカル・エリア・ネットワーク（ＷＬＡＮ）受信チェーンへのアクセスを獲得するための手段と、
前記ＷＬＡＮ受信チェーンを使用して前記測定ギャップ中に前記関心信号をキャプチャするための手段と、
前記獲得することおよび前記キャプチャすることを周期的に繰り返すための手段と、
を備える装置。
[Ｃ１１]  前記繰り返すことの間、前記キャプチャの周期および前記測定ギャップのうちの１つまたは複数を調節するための手段、
をさらに備える、Ｃ１０に記載の装置。
[Ｃ１２]  前記ＷＬＡＮ受信チェーンへのアクセスを獲得するための前記手段は、仮想フローを通じてＬＴＥ測定のためのＷＬＡＮ受信チェーンアクセスを要求するように構成されている、Ｃ１０に記載の装置。
[Ｃ１３]  前記ＷＬＡＮ受信チェーンへのアクセスを獲得するための前記手段は、パワー・セーブ・モードに入るように構成されている、Ｃ１０に記載の装置。
[Ｃ１４]  前記パワー・セーブ・モードは、アンスケジュールド・オートマチック・パワー・セーブ・デリバリ（Ｕ−ＡＰＳＤ）、ワイヤレス・マルチメディア・パワー・セーブ（ＷＭＭ−ＰＳ）、およびセーブマルチポール（ＰＳＭＰ）のうちの１つまたは複数を備える、Ｃ１３に記載の装置。
[Ｃ１５]  前記ＷＬＡＮ受信チェーンへのアクセスを獲得するための前記手段は、非稼働中のＷＬＡＮチャネルへとチューニングするように構成されている、Ｃ１０に記載の装置。
[Ｃ１６]  前記ＷＬＡＮ受信チェーンへのアクセスを獲得するための前記手段は、ネットワーク・アロケーション・ベクトル（ＮＡＶ）をしきい値またはしきい値よりも上に設定するように構成されている、Ｃ１０に記載の装置。
[Ｃ１７]  前記ＷＷＡＮネットワークのバックホールへのアクセスを獲得するための手段と、
前記バックホールを通じて前記関心信号をキャプチャするための手段と、
をさらに備える、Ｃ１０に記載の装置。
[Ｃ１８]  前記ＷＬＡＮ受信チェーンへのアクセスを獲得するための前記手段は、前記ＷＬＡＮ受信チェーンがＷＬＡＮ動作を実行することを妨げられる測定モードに入るように構成されている、Ｃ１０に記載の装置。
[Ｃ１９]  ワイヤレス・ワイド・エリア・ネットワーク（ＷＷＡＮ）によって周期的に送信される関心信号をキャプチャするための装置であって、
メモリと、
前記メモリに接続された少なくとも１つのプロセッサであって、
測定ギャップに対応する時間期間についてワイヤレス・ローカル・エリア・ネットワーク（ＷＬＡＮ）受信チェーンへのアクセスを獲得することと、
前記ＷＬＡＮ受信チェーンを使用して前記測定ギャップ中に前記関心信号をキャプチャすることと、
前記獲得することおよび前記キャプチャすることを周期的に繰り返すことと、
を行うように構成された少なくとも１つのプロセッサと、
を備える装置。
[Ｃ２０]  前記少なくとも１つのプロセッサは、前記繰り返すことの間、前記キャプチャの周期および前記測定ギャップのうちの１つまたは複数を調節するようにさらに構成されている、Ｃ１９に記載の装置。
[Ｃ２１]  前記ＷＬＡＮ受信チェーンへのアクセスを獲得するために、前記少なくとも１つのプロセッサは、仮想フローを通じてＬＴＥ測定のためのＷＬＡＮ受信チェーンアクセスを要求するように構成されている、Ｃ１９に記載の装置。
[Ｃ２２]  前記ＷＬＡＮ受信チェーンへのアクセスを獲得するために、前記少なくとも１つのプロセッサは、パワー・セーブ・モードに入るように構成されている、Ｃ１９に記載の装置。
[Ｃ２３]  前記パワー・セーブ・モードは、アンスケジュールド・オートマチック・パワー・セーブ・デリバリ（Ｕ−ＡＰＳＤ）、ワイヤレス・マルチメディア・パワー・セーブ（ＷＭＭ−ＰＳ）、およびセーブマルチポール（ＰＳＭＰ）のうちの１つまたは複数を備える、Ｃ２２に記載の装置。
[Ｃ２４]  前記ＷＬＡＮ受信チェーンへのアクセスを獲得するために、前記少なくとも１つのプロセッサは、非稼働中のＷＬＡＮチャネルへとチューニングするように構成されている、Ｃ１９に記載の装置。
[Ｃ２５]  前記ＷＬＡＮ受信チェーンへのアクセスを獲得するために、前記少なくとも１つのプロセッサは、ネットワーク・アロケーション・ベクトル（ＮＡＶ）をしきい値またはしきい値よりも上に設定するように構成されている、Ｃ１９に記載の装置。
[Ｃ２６]  前記少なくとも１つのプロセッサは、
前記ＷＷＡＮネットワークのバックホールへのアクセスを獲得することと、
前記バックホールを通じて前記関心信号をキャプチャすることと、
を行うようにさらに構成されている、Ｃ１９に記載の装置。
[Ｃ２７]  前記ＷＬＡＮ受信チェーンへのアクセスを獲得するために、前記少なくとも１つのプロセッサは、前記ＷＬＡＮ受信チェーンがＷＬＡＮ動作を実行することを妨げられる測定モードに入るように構成されている、Ｃ１９に記載の装置。
[Ｃ２８]  複数の通信フレームの各々の間にワイヤレス・ワイド・エリア・ネットワーク（ＷＷＡＮ）によって送信される関心信号をキャプチャする方法であって、
測定ギャップに対応する時間期間についてワイヤレス・ローカル・エリア・ネットワーク（ＷＬＡＮ）受信チェーンへのアクセスの獲得を試みることと、
測定ギャップに対応する時間期間についてＷＬＡＮ受信チェーンへのアクセスが獲得された場合、前記ＷＬＡＮ受信チェーンを使用して前記測定ギャップ中に前記関心信号をキャプチャすることと、
測定ギャップに対応する時間期間についてＷＬＡＮ受信チェーンへのアクセスが獲得されない場合、
前記複数の通信フレームの各々について、前記関心信号の送信の周期よりも短い継続時間に対応するキャプチャ長さにわたってデータをキャプチャすることと、ここで、各々のキャプチャは、そのそれぞれの通信フレーム内の、他の通信フレームに対して異なるポイントにおいて生じ、前記キャプチャすることは、ＷＬＡＮ受信チェーンにより行われ、
前記送信の周期よりも長い継続時間に対応する等価な連続データを形成するために、前記複数のデータキャプチャを処理することと、
を備える方法。
【図１】
0006302090.tif 000003
【図２】
0006302090.tif 000004
【図３】
0006302090.tif 000005
【図４】
0006302090.tif 000006
【図５】
0006302090.tif 000007
【図６】
0006302090.tif 000008
【図７】
0006302090.tif 000009
【図８】
0006302090.tif 000010
【図９】
0006302090.tif 000011
【図１０】
0006302090.tif 000012
【図１１】
0006302090.tif 000013
【図１２】
0006302090.tif 000014
【図１３】
0006302090.tif 000015
【図１４】
0006302090.tif 000016
【図１５】
0006302090.tif 000017
【図１６】
0006302090.tif 000018
【図１７】
0006302090.tif 000019